(57)【要約】【課題】成果報酬型のアフィリエイトにおける不正を防ぐことができるようにする。【解決手段】広告主サーバ１６は、広告主サイト２２の登録ページ１３２または完了通知ページ１５１へのアクセス要求元が、パーソナルコンピュータ１４１である場合、そのアクセスを禁止する。また、広告主サーバ１６は、広告主サイト２２の完了通知ページ１５１のブックマークを拒否する設定を行う。これらの処理により、広告主サイト２２の完了通知ページ１５１のＵＲＬの漏洩が防止され、結果的に、パーソナルコンピュータ１４１または携帯端末１１を用いて、広告主サイト２２の完了通知ページ１５１に直接アクセスをすることによる不正な成果発生を抑制することができる。本発明は、成果報酬型のアフィリエイトシステムに適用することができる。【選択図】図５
2010224621.tif 000002
【特許請求の範囲】
【請求項１】
管理するウェブサイトを構成する所定のページへのアクセス要求を受信するアクセス要求受信手段と、
前記アクセス要求受信手段により受信された前記アクセス要求の情報に含まれるＩＰアドレスが、特定のＩＰアドレスではない場合、前記所定のページを構成する情報の送信を禁止するページ情報送信手段と
を備える情報処理装置。
【請求項２】
前記ページ情報送信手段は、前記アクセス要求の情報に含まれるＩＰアドレスが、特定のＩＰアドレスではない場合、前記アクセス要求が、パーソナルコンピュータからのものであるとして、前記所定のページを構成する情報の送信を禁止する
請求項１に記載の情報処理装置。
【請求項３】
前記所定のページは、商品の購入を行うための購入ページおよび前記商品の購入が完了したことを通知するための完了通知ページである
請求項２に記載の情報処理装置。
【請求項４】
前記完了通知ページのＵＲＬの記録要求を受信する記録要求受信手段と、
前記記録要求受信手段により受信された記録要求に対して、前記完了通知ページのＵＲＬ情報の記録を禁止するＵＲＬ情報記録制御手段と
をさらに備える請求項３に記載の情報処理装置。
【請求項５】
前記ページ情報送信手段は、さらに、前記アクセス要求受信手段により受信された前記完了通知ページへの前記アクセス要求の情報に特定の値が付加されていない場合、前記完了通知ページを構成する情報の送信を禁止する
請求項３に記載の情報処理装置。
【請求項６】
前記購入ページを構成する情報において、前記購入ページから、キャリアサーバが管理するページに遷移する以降の通信方法を変更する通信方法変更手段をさらに備え、
前記ページ情報送信手段は、前記通信方法変更手段により変更された前記通信方法が記載されている前記購入ページを構成する情報を送信する
請求項３に記載の情報処理装置。
【請求項７】
前記商品は、前記ウェブサイトへの会員登録である
請求項３に記載の情報処理装置。
【請求項８】
情報処理装置が、
管理するウェブサイトを構成する所定のページへのアクセス要求を受信し、
受信された前記アクセス要求の情報に含まれるＩＰアドレスが、特定のＩＰアドレスではない場合、前記所定のページを構成する情報の送信を禁止するステップ
を含む情報処理方法。
【請求項９】
管理するウェブサイトを構成する所定のページへのアクセス要求を受信し、
受信された前記アクセス要求の情報に含まれるＩＰアドレスが、特定のＩＰアドレスではない場合、前記所定のページを構成する情報の送信を禁止するステップ
を含む処理をコンピュータに行わせるためのプログラム。
【発明の詳細な説明】
【技術分野】
【０００１】
本発明は、情報処理装置および方法、並びにプログラムに関し、特に、成果報酬型のアフィリエイトにおける不正を防ぐことができるようにした情報処理装置および方法、並びにプログラムに関する。
【背景技術】
【０００２】
インターネット上で商品やサービスの販売を促進するために成果報酬型のアフィリエイトを利用するユーザが多くなってきている。成果報酬型のアフィリエイトは、ホームページ内に設けられた商品紹介リンクを経由して商品が販売されると、広告主から売上に応じた額の報酬が、ホームページを運営するサイト管理者に支払われるシステムである。
【０００３】
このような成果報酬型のアフィリエイトは、携帯電話機に代表されるモバイル市場向けのサイトにおいても利用されている（特許文献１参照）
【先行技術文献】
【特許文献】
【０００４】
【特許文献１】特開２００８−９８０５号公報
【発明の概要】
【発明が解決しようとする課題】
【０００５】
しかしながら、近年、モバイル市場においては、成果報酬型のアフィリエイトにおける不正が後を絶たない。不正の例として、例えば、モバイル端末からではなく、パーソナルコンピュータから、ユーザエージェント、モバイル端末別ＩＤ、ＤＮＳ逆引き、または、ＩＰアドレスを詐称してアクセスする方法がある。この場合、広告主のサーバにおいては、パーソナルコンピュータからのアクセスであるにも関わらず、モバイル端末からのアクセスだと誤認されてしまい、その結果、新規ユーザを装っての不正な成果が反映されてしまう。
【０００６】
また、例えば、モバイル端末から、商品販売ページを経由することなく、直接、成果発生地点であるページであり、商品販売完了を通知する完了通知ページにアクセスする方法がある。この場合、広告主のサーバにおいては、完了通知ページがアクセスされたことで、成果の発生を誤認してしまい、その結果、新規ユーザを装っての不正な成果が反映されてしまう。
【０００７】
本発明はこのような状況に鑑みてなされたものであり、成果報酬型のアフィリエイトにおける不正を防ぐことができるようにするものである。
【課題を解決するための手段】
【０００８】
本発明の一側面の情報処理装置は、管理するウェブサイトを構成する所定のページへのアクセス要求を受信するアクセス要求受信手段と、前記アクセス要求受信手段により受信された前記アクセス要求の情報に含まれるＩＰアドレスが、特定のＩＰアドレスではない場合、前記所定のページを構成する情報の送信を禁止するページ情報送信手段とを備える。
【０００９】
前記ページ情報送信手段は、前記アクセス要求の情報に含まれるＩＰアドレスが、特定のＩＰアドレスではない場合、前記アクセス要求が、パーソナルコンピュータからのものであるとして、前記前記所定のページを構成する情報の送信を禁止することができる。
【００１０】
前記所定のページは、商品の購入を行うための購入ページおよび前記商品の購入が完了したことを通知するための完了通知ページである。
【００１１】
前記完了通知ページのＵＲＬの記録要求を受信する記録要求受信手段と、前記記録要求受信手段により受信された記録要求に対して、前記完了通知ページのＵＲＬ情報の記録を禁止するＵＲＬ情報記録制御手段とをさらに備えることができる。
【００１２】
前記ページ情報送信手段は、さらに、前記アクセス要求受信手段により受信された前記完了通知ページへの前記アクセス要求の情報に特定の値が付加されていない場合、前記完了通知ページを構成する情報の送信を禁止することができる。
【００１３】
前記購入ページを構成する情報において、前記購入ページから、キャリアサーバが管理するページに遷移する以降の通信方法を変更する通信方法変更手段をさらに備え、前記ページ情報送信手段は、前記通信方法変更手段により変更された前記通信方法が記載されている前記購入ページを構成する情報を送信することができる。
【００１４】
前記商品は、前記ウェブサイトへの会員登録である。
【００１５】
本発明の一側面の情報処理方法は、情報処理装置が、管理するウェブサイトを構成する所定のページへのアクセス要求を受信し、受信された前記アクセス要求の情報に含まれるＩＰアドレスが、特定のＩＰアドレスではない場合、前記所定のページを構成する情報の送信を禁止するステップを含む。
【００１６】
本発明の一側面のプログラムは、管理するウェブサイトを構成する所定のページへのアクセス要求を受信し、受信された前記アクセス要求の情報に含まれるＩＰアドレスが、特定のＩＰアドレスではない場合、前記所定のページを構成する情報の送信を禁止するステップを含む処理をコンピュータに行わせる。
【００１７】
本発明の一側面においては、管理するウェブサイトを構成する所定のページへのアクセス要求が受信され、受信された前記アクセス要求の情報に含まれるＩＰアドレスが、特定のＩＰアドレスではない場合、前記所定のページを構成する情報の送信が禁止される。
【発明の効果】
【００１８】
本発明の一側面によれば、成果報酬型のアフィリエイトにおける不正を防ぐことができる。
【図面の簡単な説明】
【００１９】
【図１】本発明の一実施形態に係るアフィリエイトシステムの構成例を示す図である。
【図２】広告主サーバの構成例を示すブロック図である。
【図３】広告主サーバの機能構成を示すブロック図である。
【図４】キャリアサーバ１７Ａの場合の不正防止処理の動作を説明する図である。
【図５】キャリアサーバ１７Ａの場合の不正防止処理の動作を説明する図である。
【図６】広告主サーバの設定処理を説明するフローチャートである。
【図７】広告主サーバのブックマーク要求受付処理を説明するフローチャートである。
【図８】キャリアサーバ１７Ａに対応する場合のアフィリエイトシステムの処理を説明するフローチャートである。
【図９】キャリアサーバ１７Ａに対応する場合のアフィリエイトシステムの処理を説明するフローチャートである。
【図１０】広告主サーバの要求判定処理を説明するフローチャートである。
【図１１】広告主サーバの機能構成の他の例を示すブロック図である。
【図１２】キャリアサーバ１７Ｂの場合の不正防止処理の動作を説明する図である。
【図１３】キャリアサーバ１７Ｂに対応する場合のアフィリエイトシステムの処理を説明するフローチャートである。
【図１４】キャリアサーバ１７Ｂに対応する場合のアフィリエイトシステムの処理を説明するフローチャートである。
【図１５】広告主サーバの要求判定処理の他の例を説明するフローチャートである。
【図１６】広告主サーバの機能構成のさらに他の例を示すブロック図である。
【図１７】キャリアサーバ１７Ｃの場合の不正防止処理の動作を説明する図である。
【図１８】広告主サーバの設定処理の他の例を説明するフローチャートである。
【図１９】キャリアサーバ１７Ｃに対応する場合のアフィリエイトシステムの処理を説明するフローチャートである。
【図２０】キャリアサーバ１７Ｃに対応する場合のアフィリエイトシステムの処理を説明するフローチャートである。
【発明を実施するための形態】
【００２０】
図１は、本発明を適用した成果報酬型アフィリエイトシステムの一実施形態の構成を示す図である。このアフィリエイトシステム１は、アフィリエイトサービスにおける不正な成果の反映を防止するためのシステムである。
【００２１】
図１の例において、アフィリエイトシステム１は、携帯端末１１、ネットワーク１２、サイト管理装置１３、ASP(Affiliate Service Provider)サーバ１４、ASP管理サーバ１５、広告主サーバ１６、およびキャリアサーバ１７から構成される。
【００２２】
アフィリエイトシステム１においては、インターネットに代表されるネットワーク１２に、携帯端末１１、サイト管理装置１３、ASPサーバ１４、ASP管理サーバ１５、広告主サーバ１６、およびキャリアサーバ１７が接続されている。
【００２３】
携帯端末１１は、例えば、携帯電話機などで構成される。携帯端末１１は、図示せぬ基地局およびネットワーク１２を介して、サイト管理装置１３、ASPサーバ１４、ASP管理サーバ１５、広告主サーバ１６、並びにキャリアサーバ１７などと通信を行う。
【００２４】
具体的には、携帯端末１１は、例えば、ウェブサイトを閲覧するユーザの操作にしたがって、ネットワーク１２に接続された機器により提供されるウェブページを受信して、そのウェブページの画像などを表示する。
【００２５】
ここで、ウェブページは、ウェブページを閲覧するためのアプリケーションプログラムであるウェブブラウザによって、１つの画面に表示されるデータの集合であり、一般的に、HTML（HyperText Markup Language）によるレイアウト情報、テキストデータ、文書中に埋め込まれた画像（静止画または動画）のデータや音声のデータなどから構成される。また、ネットワーク１２に接続された携帯端末１１において閲覧させるために提供される一連のウェブページをウェブサイトともいう。
【００２６】
ネットワーク１２は、相互に接続されているインターネットまたは専用通信回線などからなり、例えば、TCP/IP（Transmission Control Protocol/Internet Protocol）などのプロトコルにしたがって、携帯端末１１、サイト管理装置１３、ASPサーバ１４、ASP管理サーバ１５、広告主サーバ１６、並びにキャリアサーバ１７を相互に通信させる。
【００２７】
サイト管理装置１３は、例えば、コミュニティのサービスなどを提供するウェブサイト２１を管理する事業者により設置される専用のサーバで構成される。なお、サイト管理装置１３は、例えば、ウェブサイトを管理するユーザのパーソナルコンピュータなどで構成される場合もある。
【００２８】
サイト管理装置１３が管理するウェブサイト２１は、携帯端末１１からの閲覧の要求に応じて、ネットワーク１２を介して提供される一連のウェブページからなる。
【００２９】
サイト管理装置１３には、ASPサーバ１４が管理する広告主サイト２２の商品の広告リンク情報がネットワーク１２を介して提供される。サイト管理装置１３は、ウェブサイト２１を構成する所定のウェブページに、広告主サイト２２の広告リンク情報による広告を掲載する。
【００３０】
ASPサーバ１４は、アフィリエイトサービスプロバイダにより設置される専用のサーバである。ASPサーバ１４は、例えば、自分のウェブサイト２１の商品やウェブサイト２１の広告をしたい広告主と、その商品の広告を掲載して報酬を得たいウェブサイト２１の事業者とを仲介するサービスに関する処理を行う。以下、ウェブサイト２１およびウェブサイト２１を管理する事業者を、それぞれ、アフィリエイトサイトおよびアフィリエイタとも適宜称する。
【００３１】
また、ASPサーバ１４は、ネットワーク１２を介して、ASP管理サーバ１５から、広告主サイト２２で販売されている商品に関する広告情報を受信し、蓄積する。ASPサーバ１４は、その広告情報を基に、商品の広告リンク情報を生成し、ネットワーク１２を介して、生成した商品の広告リンク情報を、サイト管理装置１３に提供する。
【００３２】
なお、上述したように、アフィリエイトサービスプロバイダを利用したサービスでは、広告主はアフィリエイトサイトに商品の広告を掲載してもらっているために、広告主からアフィリエイタに対して報酬が支払われるのが一般的である。
【００３３】
ASPサーバ１４は、例えば、携帯端末１１を利用しているユーザによって、ウェブサイト２１に掲載された、広告主サイト２２の広告リンク情報による広告を経由して商品が購入された場合、成果が発生されたとして、その広告を掲載していたウェブサイト２１のアフィリエイタに対して報酬を支払う。
【００３４】
ASP管理サーバ１５は、例えば、専用のサーバなどの機器から構成され、広告主サーバ１６から提供される広告情報を、ネットワーク１２を介して、ASPサーバ１４に提供する。ASP管理サーバ１５は、ASPサーバ１４への支払いを、ネットワーク１２を介して、広告主サーバ１６に請求する。また、ASP管理サーバ１５は、広告主サーバ１６の登録情報に変更があった場合、その変更情報を、広告主サーバ１６から受け取り、ASPサーバ１４に送信する。
【００３５】
なお、図１の例においては、アフィリエイトシステム１は、説明を簡略にするために、携帯端末１１、サイト管理装置１３、ASPサーバ１４、ASP管理サーバ１５、および広告主サーバ１６が１つずつ設けられているが、それぞれ、複数設けるようにしてもよい。
【００３６】
例えば、ASPサーバ１４が複数設けられることにより、ASP管理サーバ１５は、広告主サーバ１６から提供される広告情報を、ネットワーク１２を介して、複数のASPサーバ１４に提供する。ASP管理サーバ１５は、複数のASPサーバ１４への支払いを、広告主サーバ１６に一括に請求する。ASP管理サーバ１５は、広告主サーバ１６の登録情報に変更があった場合、その変更情報を、広告主サーバ１６から受け取り、複数のASPサーバ１４に送信する。
【００３７】
すなわち、アフィリエイトシステム１において、ASP管理サーバ１５は、広告主サイト２２の商品や広告主サイト２２そのものの広告をしたい広告主と、複数のASPサーバ１４を有するアフィリエイトサービスプロバイダを仲介するサービスを提供している。したがって、広告主は、複数のASPサーバ１４を有するアフィリエイトサービスプロバイダと契約することにより、アフィリエイトサービスプロバイダ毎の導入コストやそれに係る手続きの手間を減らすことができる。
【００３８】
広告主サーバ１６は、例えば、専用のサーバなどの機器で構成され、ネットワーク１２上で商品を販売するためのウェブサイトである広告主サイト２２を提供している。
【００３９】
具体的には、広告主サーバ１６は、携帯端末１１に対して、広告主サイト２２の閲覧そのもの、すなわち、閲覧をできる権利の取得（会員登録）を、商品として販売（課金）している。ネットワーク１２を介して、携帯端末１１からの会員の登録要求があった場合、その要求は、携帯端末１１からネットワーク１２を介してキャリアサーバ１７に送信される。広告主サーバ１６は、キャリアサーバ１７においてユーザ認証され、広告主サイト２２に会員登録された携帯端末１１に対して、広告主サイト２２の会員専用ページを公開するサービスを提供する。
【００４０】
また、広告主サーバ１６は、ネットワーク１２を介して、広告主サイト２２への登録を行う際に使用されるウェブページのうち、所定のウェブページにアクセスしてきた端末が、携帯端末１１ではなく、パーソナルコンピュータなどである場合、そのアクセスを禁止する。また、広告主サーバ１６は、悪意のある第３者が有する携帯端末１１からの所定のウェブページなどへの直接アクセスを防止する処理を行う。
【００４１】
ここで、広告主サーバ１６においては、ウェブサイト２１に掲載された広告主サイト２２の広告リンク情報による広告を経由して商品が購入された場合、すなわち、広告主サイト２２において会員登録がなされた場合に、成果が発生したと判定され、成果がASP管理サーバ１５に通知される。
【００４２】
すなわち、広告主サーバ１６は、この成果を、例えば、悪意のある第３者が商品を購入（会員登録）することなしにASP管理サーバ１５に反映させてしまう不正を防止する処理を行う。
【００４３】
キャリアサーバ１７は、携帯電話機や固定電話機などの電気通信サービスを提供する事業者が管理する専用のサーバなどの機器で構成される。キャリアサーバ１７は、広告主サーバ１６への会員登録を要求する携帯端末１１に対してパスワード入力ページ２３を、ネットワーク１２を介して、携帯端末１１に送信する。
【００４４】
キャリアサーバ１７は、携帯端末１１から送信されてきたパスワードによりユーザ認証ができた場合、携帯端末１１に対して広告主サイト２２への登録の課金処理を行い、広告主サーバ１６に対して所定の要求や完了通知を行う。広告主サーバ１６においては、これに対応して、成果の発生が検出される。このキャリアサーバ１７における課金の請求は、携帯端末１１の使用料とともに、キャリアサーバ１７を管理するキャリアから、携帯端末１１へのユーザに対して行われる。
【００４５】
なお、広告主サーバ１６とキャリアサーバ１７間の仕組みは、キャリアサーバ１７を管理するキャリア毎に異なっているため、広告主サーバ１６においては、キャリアサーバ１７毎に不正を防止する処理が行われる。以下、キャリアサーバ１７Ａ、１７Ｂ、および１７Ｃの順に説明していく。
【００４６】
図２は、広告主サーバ１６のハードウェア構成の例を示すブロック図である。
【００４７】
図２の例の広告主サーバ１６において、CPU（Central Processing Unit）５１は、ROM（Read Only Memory）５２に記憶されているプログラム、または記憶部５８からRAM（Random Access Memory）５３にロードされたプログラムに従って各種の処理を実行する。RAM５３にはまた、CPU５１が各種の処理を実行する上において必要なデータなども適宜記憶される。
【００４８】
CPU５１、ROM５２、およびRAM５３は、バス５４を介して相互に接続されている。このバス５４にはまた、入出力インタフェース５５も接続されている。
【００４９】
入出力インタフェース５５には、キーボード、マウスなどよりなる入力部５６、スピーカ、ディスプレイなどよりなる出力部５７、ハードディスクなどより構成される記憶部５８、並びにネットワーク１２を介しての他の機器との通信処理を制御する通信部５９が接続されている。
【００５０】
入出力インタフェース５５にはまた、必要に応じてドライブ６０が接続され、磁気ディスク、光ディスク、光磁気ディスク、または半導体メモリなどのリムーバブルメディア６１が適宜装着され、それらから読み出されたコンピュータプログラムが、必要に応じて記憶部５８にインストールされる。
【００５１】
なお、携帯端末１１、サイト管理装置１３、ASPサーバ１４、ASP管理サーバ１５、並びにキャリアサーバ１７を構成する機器は、それぞれ、図２の広告主サーバ１６と同様のハードウェア構成を有するため、その説明は繰り返しになるので省略する。
【００５２】
また、広告主サーバ１６のハードウェアの構成は、図２の例に限定されず、後述する図３の機能的構成を少なくとも有していればよい。
【００５３】
図３は、キャリアサーバ１７Ａに対応する場合の広告主サーバ１６の機能的構成の例を示すブロック図である。
【００５４】
広告主サーバ１６は、ページアクセス要求受信部１０１、ページアクセス要求判定部１０２、ページ情報送信部１０３、セッションＩＤ（identification）送信部１０４、登ブックマーク要求受信部１０７、およびブックマーク可否設定部１０８を含むように構成される。
【００５５】
ページアクセス要求受信部１０１は、ネットワーク１２に接続される装置からの広告主サイト２２の各ウェブページへのアクセス要求情報を受信し、受信したアクセス要求情報を、ページアクセス要求判定部１０２に供給する。
【００５６】
アクセス要求情報には、例えば、アクセスを要求するウェブページのＵＲＬ（Uniform Resource Locator）情報、アクセス要求元のアドレス情報、経由されてきたウェブページやサーバのＵＲＬ情報、およびセッションＩＤなどが含まれている。なお、セッションＩＤについては、図４を参照して後述するが、ASP管理サーバ１５を経由すると、セッションＩＤが付加され、そのセッションＩＤが引き継がれる。したがって、それ以降に送受信される情報には、セッションＩＤが付加されている。
【００５７】
広告主サイト２２は、トップページ１３１および登録ページ１３２（いずれも図４）、完了通知ページ１５１（図５）、並びに会員専用ページなどにより構成されている。
【００５８】
トップページ１３１は、ウェブサイト２１のウェブページに掲載された広告にリンクされているページであり、広告主サイト２２への入口を表すページである。登録ページ１３２は、広告主サイト２２における商品購入として、会員登録を行うためのページである。
【００５９】
完了通知ページ１５１は、ユーザに対して、広告主サイト２２への会員登録完了を通知するページであり、成果が発生されたことを表すページでもある。会員専用ページは、広告主サイト２２の会員となったユーザ（携帯端末１１）にだけ公開され、提供される広告主サイト２２のページである。
【００６０】
ページアクセス要求判定部１０２は、ページアクセス要求受信部１０１からのアクセス要求情報を参照し、広告主サイト２２のどのウェブページへのアクセスが要求されたかを判定する。登録ページ１３２または完了通知ページ１５１へのアクセスが要求されたと判定された場合、ページアクセス要求判定部１０２は、さらに、アクセス要求元が、パーソナルコンピュータであるか否かを判定する。
【００６１】
ここで、携帯端末１１のＩＰ（Internet Protocol）アドレスは、特定のＩＰアドレスであり、各キャリアにおいて公開されている。すなわち、アクセス要求情報に含まれるアクセス要求元のアドレスが、公開されている特定のＩＰアドレスである場合、ページアクセス要求判定部１０２は、アクセス要求元が携帯端末１１であると判定する。これに対して、アクセス要求情報に含まれるアクセス要求元のアドレスが、公開されている特定のＩＰアドレスではない場合、ページアクセス要求判定部１０２は、アクセス要求元が携帯端末１１以外の装置、具体的には、パーソナルコンピュータであると判定する。
【００６２】
ページアクセス要求判定部１０２は、判定結果とアクセス要求情報を、ページ情報送信部１０３およびセッションＩＤ送信部１０４に供給する。
【００６３】
ページ情報送信部１０３は、ページアクセス要求判定部１０２からのアクセス要求情報に含まれるアクセス要求元のアドレスに、アクセスが要求されたウェブページを構成する情報をネットワーク１２を介して送信する。なお、以下、どのウェブページ（例えば、登録ページや完了通知ページなど）の場合も、ウェブページを構成する情報を、単にウェブページの情報と称する。
【００６４】
ただし、ページ情報送信部１０３は、ページアクセス要求判定部１０２によりアクセス要求元が、パーソナルコンピュータであると判定された場合、アクセスが要求された登録ページ１３２および完了通知ページ１５１の情報の送信を禁止する。
【００６５】
セッションＩＤ送信部１０４は、ページアクセス要求判定部１０２により完了通知ページへのアクセスが要求されたと判定された場合、ページアクセス要求判定部１０２からのアクセス要求情報に含まれるセッションＩＤを、ASP管理サーバ１５に送信する。
【００６６】
ただし、セッションＩＤ送信部１０４は、ページアクセス要求判定部１０２により完了通知ページへのアクセスが要求されたと判定され、かつ、アクセス要求元が、パーソナルコンピュータであると判定された場合、セッションＩＤの送信を禁止する。
【００６７】
ブックマーク要求受信部１０７は、ネットワーク１２に接続される装置からの広告主サイト２２のウェブページのブックマーク要求情報を受信する。ここで、ブックマークとは、対象のウェブページのＵＲＬを装置の記憶部などに記録する処理である。
【００６８】
ブックマーク要求受信部１０７は、ブックマーク可否設定部１０８により予め設定されたブックマークの可否設定を参照して、要求されているウェブページが完了通知ページである場合、ブックマークの要求元に対して、ブックマークを禁止し、エラー情報などを送信する。ブックマーク要求受信部１０７は、要求されているウェブページが完了通知ページではない場合、ブックマークの要求元に対して、ブックマークを許可する。
【００６９】
ブックマーク可否設定部１０８は、広告主の操作に対応して、広告主サイト２２を構成する所定のウェブページのブックマークの禁止や許可を設定する。例えば、ブックマーク可否設定部１０８は、完了通知ページのブックマークの禁止を設定する。
【００７０】
次に、図４および図５を参照して、図１のアフィリエイトシステムにおける、キャリアサーバ１７Ａの場合の不正防止処理の動作について説明する。図４の例においては、携帯端末１１により、広告主サイト２２の登録ページ１３２が表示されるまでの動作例が示されており、図５の例においては、携帯端末１１において、広告主サイト２２の登録ページ１３２が表示されてからの動作例が示されている。
【００７１】
携帯端末１１は、図４に示されるように、ウェブサイト２１を閲覧するユーザの操作にしたがって、ネットワーク１２に接続されたサイト管理装置１３により提供されるウェブページを受信して、そのウェブページの画像などを表示する。例えば、そのウェブページには、広告主サイト２２の広告リンク情報による広告１２１が掲載されている。
【００７２】
ユーザの操作により広告１２１が選択されると、携帯端末１１は、広告１２１の広告リンク情報を参照し、広告主サイト２２のトップページ１３１を要求する。この要求情報は、実際には、サイト管理装置１３を経由することなく、ASPサーバ１４、およびASP管理サーバ１５を経由して、広告主サーバ１６に送信される。
【００７３】
このとき、ASP管理サーバ１５は、サイト管理装置１３のアフィリエイタおよびASPサーバ１４のアフィリエイトサービスプロバイダを判別し、この要求情報に、今回のセッションを識別するセッションＩＤを付加する。ASP管理サーバ１５は、判別されたアフィリエイタおよびアフィリエイトサービスプロバイダにセッションＩＤを対応付けてデータベースなどに記憶し、セッションＩＤが付加された要求情報を、携帯端末１１を介して、広告主サーバ１６に送信する。
【００７４】
広告主サーバ１６は、受信された要求情報を参照し、広告主サイト２２のトップページ１３１の情報を、携帯端末１１に送信する。なお、広告主サーバ１６においては、ASP管理サーバ１５により要求情報に付加されたセッションＩＤが、今回のセッションの完了まで引き継がれる。また、このセッションＩＤは、キャリアサーバ１７Ａにおいてもセッションの完了まで引き継がれる。したがって、以下、特に記載がない場合でも、各装置間で送受信される情報には、セッションＩＤが付加されているものとする。
【００７５】
携帯端末１１は、広告主サーバ１６から、広告主サイト２２のトップページ１３１の情報を受信し、広告主サイト２２のトップページ１３１を表示する。例えば、トップページ１３１に、広告主サイト２２の会員登録を行う登録ページ１３２へのリンクが掲載されている。
【００７６】
ユーザの操作により登録ページ１３２へのリンクが選択されると、携帯端末１１は、リンク情報を参照し、広告主サーバ１６に登録ページ１３２を要求する。広告主サーバ１６は、携帯端末１１に、セッションＩＤが付加された登録ページ１３２の情報を送信する。なお、ここで、広告主サーバ１６においては、登録ページ１３２の要求元が判別され、登録ページ１３２の要求元が、図５のパーソナルコンピュータ１４１である場合、登録ページ１３２の情報の送信が禁止される。
【００７７】
携帯端末１１は、図５に示されるように、広告主サーバ１６からの広告主サイト２２の登録ページ１３２の情報を受信し、広告主サイト２２の登録ページ１３２を表示する。携帯端末１１に表示される登録ページ１３２において、ユーザが登録を指示する。この指示操作に対応して、携帯端末１１は、キャリアサーバ１７Ａに対して会員登録を要求する。  
【００７８】
キャリアサーバ１７Ａは、携帯端末１１の登録要求を受信すると、会員登録を認証するためのパスワード入力ページ２３の情報を、ネットワーク１２を介して、携帯端末１１に送信する。
【００７９】
携帯端末１１は、パスワード入力ページ２３の情報を受信し、パスワード入力ページ２３を表示する。携帯端末１１に表示されるパスワード入力ページ２３において、ユーザがパスワードを入力し、決定を指示する。この入力および指示操作に対応して、携帯端末１１は、キャリアサーバ１７Ａに対してパスワードを送信する。
【００８０】
キャリアサーバ１７Ａは、携帯端末１１から受信したパスワードを用いて、携帯端末１１のユーザの認証処理を行い、認証された場合、広告主サイト２２の完了通知ページ１５１の携帯端末１１への送信を、広告主サーバ１６に要求する。この要求は、携帯端末１１を介して行われる。
【００８１】
広告主サーバ１６は、キャリアサーバ１７Ａにおいて、広告主サイト２２への登録が完了した場合、成果が発生したと判定し、広告主サイト２２の完了通知ページ１５１の情報を、携帯端末１１へ送信し、セッションＩＤをASP管理サーバ１５に送信する。これにより、ASP管理サーバ１５においては、セッションＩＤに対応付けられているアフィリエイタおよびアフィリエイトサービスプロバイダに成果が反映され、登録される。なお、この成果は、後日まとめて、ASPサーバ１４に通知される。
【００８２】
すなわち、広告主サーバ１６においては、キャリアサーバ１７Ａにおける登録完了、すなわち、成果の発生は、キャリアサーバ１７Ａからの完了通知ページ１５１の要求をきっかけに判定される。そこで、広告主サーバ１６においては、完了通知ページ１５１の要求元も判別され、完了通知ページ１５１の要求元がパーソナルコンピュータ１４１である場合、完了通知ページ１５１の情報の送信も禁止され、セッションＩＤの送信も禁止される。
【００８３】
また、さらに、広告主サーバ１６においては、完了通知ページ１５１のブックマークも拒否に設定される。すなわち、広告主サーバ１６においては、携帯端末１１に対して、完了通知ページ１５１のブックマークが禁止される。
【００８４】
以上のように、図５のアフィリエイトシステム１においては、広告主サイト２２の登録ページ１３２へのパーソナルコンピュータ１４１からのアクセスが禁止される。これにより、パーソナルコンピュータ１４１を介しての登録ページ１３２のソースコードの漏洩を防止することができ、登録ページ１３２のソースコードが解析されることによる完了通知ページ１５１のＵＲＬが解読されることを防ぐことができる。
【００８５】
また、図５のアフィリエイトシステム１においては、広告主サイト２２の登録完了ページ１５１へのパーソナルコンピュータ１４１からのアクセスが禁止される。これにより、完了通知ページ１５１のＵＲＬが直接漏洩されることを防止することができる。
【００８６】
さらに、図５のアフィリエイトシステム１においては、広告主サイト２２の完了通知ページ１５１のブックマークが拒否設定にされる。したがって、携帯端末１１は、広告主サイト２２の完了通知ページ１５１のブックマークを行うことができず、完了通知ページ１５１のＵＲＬが、パーソナルコンピュータ１４１に携帯端末１１を介して漏洩することを防止することができる。
【００８７】
以上により、成果発生が判定される完了通知ページへの直接アクセスを防ぐことができ、結果的に、不正な成果の反映を防ぐことができる。
【００８８】
次に、図６のフローチャートを参照して、広告主サーバ１６の設定処理について説明する。
【００８９】
広告主は、入力部５６を構成するマウスなどを操作し、広告主サイト２２の完了通知ページ１５１のブックマーク設定を禁止にする指示を行う。ブックマーク可否設定部１０８は、ステップＳ１１において、ブックマークの設定が指示されたか否かを判定する。広告主の操作に対応して、ブックマーク可否設定部１０８は、ステップＳ１１において、ブックマークの設定が指示されたと判定し、処理は、ステップＳ１２に進む。
【００９０】
ステップＳ１２において、ブックマーク可否設定部１０８は、完了通知ページ１５１のブックマーク設定を拒否に設定する。
【００９１】
ステップＳ１１において、ブックマークの設定が指示されなかったと判定された場合、設定処理は終了される。
【００９２】
次に、図７のフローチャートを参照して、広告主サーバ１６のブックマーク要求受付処理について説明する。
【００９３】
ブックマーク要求受信部１０７は、ステップＳ３１において、ブックマークが要求されたと判定するまで待機している。
【００９４】
ブックマーク要求受信部１０７は、ネットワーク１２に接続される装置からの広告主サイト２２のウェブページのブックマーク要求情報を受信すると、ステップＳ３１において、ブックマークが要求されたと判定し、処理は、ステップＳ３２に進む。
【００９５】
ブックマーク要求受信部１０７は、ステップＳ３２において、ブックマーク可否設定部１０８により予め設定されたブックマークの可否設定を参照して、要求されたウェブページが完了通知ページ１５１であるか否かを判定する。
【００９６】
ブックマーク要求受信部１０７は、ステップＳ３２において、要求されたウェブページが完了通知ページ１５１であると判定した場合、ステップＳ３３において、ブックマークの要求元に対して、ブックマークを禁止し、エラー情報などを送信する。
【００９７】
一方、ブックマーク要求受信部１０７は、ステップＳ３２において、要求されたウェブページが完了通知ページ１５１ではないと判定した場合、ステップＳ３４において、ブックマークの要求元に対して、ブックマークを許可する。
【００９８】
以上のように、広告主サイト２２の完了通知ページ１５１のブックマークを禁止するようにしたので、完了通知ページ１５１のＵＲＬ情報が携帯端末１１を介して漏洩することを防止することができる。
【００９９】
次に、図８および図９のフローチャートを参照して、キャリアサーバ１７Ａに対応する場合のアフィリエイトシステム１の処理について説明する。
【０１００】
携帯端末１１は、図８のステップＳ５１において、ウェブサイト２１を閲覧するユーザの操作にしたがって、ネットワーク１２に接続されたサイト管理装置１３により提供されるウェブサイト２１のウェブページにアクセスする。すなわち、携帯端末１１は、サイト管理装置１３に、ウェブサイト２１のウェブページを要求する。
【０１０１】
サイト管理装置１３は、その要求に対応して、ステップＳ７１において、ウェブサイト２１のウェブページ情報を送信する。
【０１０２】
携帯端末１１は、ウェブサイト２１のウェブページ情報を受信し、ステップＳ５２において、ウェブサイト２１のウェブページを表示する。例えば、そのウェブページには、広告主サイト２２の広告リンク情報による広告１２１が掲載されている。ユーザの操作により広告１２１が選択されると、携帯端末１１は、ステップＳ５３において、広告１２１の広告リンク情報を参照し、広告主サイト２２のトップページ１３１を要求する。広告１２１の広告リンク情報には、ASPサーバ１４のアドレスが示されているので、この要求情報は、ASPサーバ１４に送信される。
【０１０３】
ASPサーバ１４は、携帯端末１１からのトップページ１３１の要求情報を受信すると、ステップＳ８１において、サイト管理装置１３のアフィリエイタ（ウェブサイト２１）を判別する。ASPサーバ１４は、ステップＳ８２において、そのトップページ１３１の要求情報にセッションＩＤを付加し、携帯端末１１を介して、ASP管理サーバ１５に送信する。なお、このセッションＩＤは、ASPサーバ１４で使用されるセッションＩＤであり、ASP管理サーバ１５で使用されるセッションＩＤとは異なるものである。
【０１０４】
携帯端末１１は、ASPサーバ１４からのトップページ１３１の要求情報を受信すると、ステップＳ５４において、リダイレクトを行う。すなわち、携帯端末１１は、受信したトップページ１３１の要求情報を、そのまま、ASP管理サーバ１５に送信する。
【０１０５】
ASP管理サーバ１５は、携帯端末１１によりリダイレクトされたトップページ１３１の要求情報を受信すると、ステップＳ９１において、サイト管理装置１３のアフィリエイタ（ウェブサイト２１）およびASPサーバ１４のアフィリエイトサービスプロバイダを判別する。ASP管理サーバ１５は、ステップＳ９２において、ASPサーバ１４からの要求情報に、今回のセッションを識別するセッションＩＤを付加し、携帯端末１１を介して、広告主サーバ１６に送信する。
【０１０６】
携帯端末１１は、ASP管理サーバ１５からのトップページ１３１の要求情報を受信すると、ステップＳ５５において、リダイレクトを行う。すなわち、携帯端末１１は、受信したトップページ１３１の要求情報を、そのまま、広告主サーバ１６に送信する。
【０１０７】
広告主サーバ１６のページアクセス要求受信部１０１は、トップページ１３１の要求情報を受信し、受信した要求情報を、ページアクセス要求判定部１０２に供給する。ページアクセス要求判定部１０２は、登録ページ１３２または完了通知ページ１５１へのアクセスが要求されていないと判定し、ステップＳ１０１において、ページ情報送信部１０３に、トップページ１３１の情報を携帯端末１１に送信させる。
【０１０８】
携帯端末１１は、広告主サーバ１６から、広告主サイト２２のトップページ１３１の情報を受信し、ステップＳ５６において、広告主サイト２２のトップページ１３１を表示する。例えば、トップページ１３１に、広告主サイト２２の会員登録を行う登録ページ１３２へのリンクが掲載されている。
【０１０９】
ユーザの操作により登録ページ１３２へのリンクが選択されると、携帯端末１１は、リンク情報を参照し、ステップＳ５７において、広告主サイト２２の登録ページ１３２を広告主サーバ１６に要求する。
【０１１０】
広告主サーバ１６のページアクセス要求受信部１０１は、登録ページ１３２の要求情報を受信し、受信した要求情報を、ページアクセス要求判定部１０２に供給する。ページアクセス要求判定部１０２は、登録ページ１３２の要求情報を参照し、登録ページ１３２のアクセスが要求されたと判定し、さらに、ステップＳ１０２において、要求判定処理を行う。この要求判定処理は、図１０を参照して後述するが、ステップＳ１０２の処理により、要求元がパーソナルコンピュータではないと判定される。
【０１１１】
要求判定処理の判定結果と要求情報が、ページアクセス要求判定部１０２から供給されるので、これらの情報を参照し、ページ情報送信部１０３は、ステップＳ１０３において、広告主サイト２２の登録ページ１３２の情報を携帯端末１１に送信する。
【０１１２】
携帯端末１１は、広告主サーバ１６から、広告主サイト２２の登録ページ１３２の情報を受信し、ステップＳ５８において、広告主サイト２２の登録ページ１３２を表示する。携帯端末１１に表示される登録ページ１３２において、ユーザが登録を指示する。この指示操作に対応して、携帯端末１１は、図９のステップＳ５９において、キャリアサーバ１７Ａに対して会員登録を要求する。
【０１１３】
キャリアサーバ１７Ａは、携帯端末１１からの登録要求情報を受信すると、ステップＳ１１１において、パスワード入力ページ２３の情報を、携帯端末１１に送信する。
【０１１４】
携帯端末１１は、パスワード入力ページ２３の情報を受信し、ステップＳ６０において、パスワード入力ページ２３を表示する。携帯端末１１に表示されるパスワード入力ページ２３において、ユーザがパスワードを入力し、決定を指示する。この入力および指示操作に対応して、携帯端末１１は、ステップＳ６１において、キャリアサーバ１７Ａに対してパスワード情報を送信する。
【０１１５】
キャリアサーバ１７Ａは、携帯端末１１からパスワード情報を受信し、携帯端末１１から受信したパスワードを用いて、ステップＳ１１２において、携帯端末１１のユーザの認証処理を行う。認証が完了すると、キャリアサーバ１７Ａは、ステップＳ１１３において、広告主サイト２２の完了通知ページ１５１の携帯端末１１への送信を、携帯端末１１を介して、広告主サーバ１６に要求する。
【０１１６】
携帯端末１１は、キャリアサーバ１７Ａからの完了通知ページ１５１の要求情報を受信すると、ステップＳ６２において、リダイレクトを行う。すなわち、携帯端末１１は、受信した完了通知ページ１５１の要求情報を、そのまま、広告主サーバ１６に送信する。
【０１１７】
広告主サーバ１６のページアクセス要求受信部１０１は、完了通知ページ１５１の要求情報を受信し、受信した要求情報を、ページアクセス要求判定部１０２に供給する。ページアクセス要求判定部１０２は、完了通知ページ１５１の要求情報を参照し、完了通知ページ１５１のアクセスが要求されたと判定し、さらに、ステップＳ１０４において、要求判定処理を行う。この要求判定処理は、ステップＳ１０２の処理と基本的に同様な処理であり、図１０を参照して後述されるが、ステップＳ１０４の処理により、要求元がパーソナルコンピュータではないと判定される。
【０１１８】
これに対応して、セッションＩＤ送信部１０４は、成果が発生したと判定し、ステップＳ１０５において、受信した要求情報に付加されている（引き継がれている）セッションＩＤを、ASP管理サーバ１５に送信する。
【０１１９】
ASP管理サーバ１５は、広告主サーバ１６からのセッションＩＤを受信すると、ステップＳ９３において、セッションＩＤに対応付けられているアフィリエイタおよびアフィリエイトサービスプロバイダに成果を反映させ、登録する。
【０１２０】
このように、ASP管理サーバ１５においては、セッションＩＤに対応付けて成果を反映されるので、セッションＩＤが重複した場合には、成果は反映されない。すなわち、このセッションＩＤは、セッションが完了するまで要求情報のＵＲＬなどに引き継がれるので、要求情報などが偽装されたとしても、不正な成果の反映が防止される。なお、ASP管理サーバ１５における成果の情報は、ASP管理サーバ１５により後日まとめてASPサーバ４に送信される。
【０１２１】
また、ステップＳ１０４の判定結果に対応して、ステップＳ１０６において、ページ情報送信部１０３は、広告主サイト２２の完了通知ページ１５１の情報を携帯端末１１に送信する。
【０１２２】
携帯端末１１は、広告主サイト２２の完了通知ページ１５１の情報を受信し、ステップＳ６３において、広告主サイト２２の完了通知ページ１５１を表示する。
【０１２３】
次に、図１０のフローチャートを参照して、図８のステップＳ１０２または図９のステップＳ１０４における要求判定処理を説明する。
【０１２４】
ページアクセス要求判定部１０２は、ステップＳ１２１において、ページアクセス要求受信部１０１からのアクセス要求情報を参照し、アクセス要求元が、パーソナルコンピュータであるか否かを判定する。例えば、アクセス要求情報に含まれるアクセス要求元のアドレスが、各キャリアで公開されている特定のＩＰアドレスではない場合、ステップＳ１２１において、アクセス要求元が、パーソナルコンピュータであると判定され、広告主サーバ１６の処理は終了する。すなわち、図８のステップＳ１０３以降あるいは図９のステップＳ１０５以降の処理はスキップされる。
【０１２５】
一方、ステップＳ１２１において、アクセス要求情報に含まれるアクセス要求元のアドレスが、各キャリアで公開されている特定のＩＰアドレスである場合、アクセス要求元が、携帯端末１１である、すなわち、パーソナルコンピュータではないと判定され、処理は、図８のステップＳ１０３または図９のステップＳ１０５に戻り、それ以降の処理が行われる。
【０１２６】
すなわち、図８のステップＳ１０３においては、要求された登録ページ１３２の情報が携帯端末１１に対して送信される。また、図９のステップＳ１０５においては、セッションＩＤがASP管理サーバ１５に対して送信され、その後、ステップＳ１０６において、要求された完了通知ページ１５１の情報が携帯端末１１に対して送信される。
【０１２７】
なお、図１０の例においては、アクセス要求元が、パーソナルコンピュータである場合、広告主サーバ１６の処理が終了する例が示されているが、アクセス要求元が、パーソナルコンピュータである場合だけでなく、携帯端末１１以外の装置である場合にも、広告主サーバ１６の処理が終了するようにしてもよい。
【０１２８】
以上のように、アフィリエイトシステム１においては、携帯端末１１から、ASPサーバ１４、およびASP管理サーバ１５を一旦経由して、広告主サーバ１６の広告主サイト２２にアクセスが行われて、商品の購入（いまの場合、会員登録）がなされることで、ASP管理サーバ１５に成果が反映される。
【０１２９】
そして、アフィリエイトシステム１においては、このような正式な手順を経由していない成果の反映が、広告主サイト２２における所定のウェブページへのパーソナルコンピュータのアクセス禁止などにより、未然に防止される。
【０１３０】
図１１は、キャリアサーバ１７Ｂに対応する場合の広告主サーバ１６の機能的構成の例を示すブロック図である。図１１の広告主サーバ１６は、ページアクセス要求受信部１０１、ページアクセス要求判定部１０２、およびページ情報送信部１０３を含む点が、図３の広告主サーバ１６と共通している。また、図１１の広告主サーバ１６は、ブックマーク要求受信部１０７、およびブックマーク可否設定部１０８が削除されている点、並びに、ＵＲＬ判定部１７１および認証通知部１７２が追加されている点が、図３の広告主サーバ１６と異なっている。
【０１３１】
すなわち、図１１のページアクセス要求判定部１０２は、登録ページ１３２へのアクセスが要求されたと判定された場合、さらに、アクセス要求元が、パーソナルコンピュータであるか否かを判定し、その判定結果とアクセス要求情報を、ページ情報送信部１０３に供給する。
【０１３２】
一方、完了通知ページ１５１へのアクセスが要求されたと判定された場合、ページアクセス要求判定部１０２は、アクセス要求元が、パーソナルコンピュータであるか否かを判定し、その判定結果とアクセス要求情報を、ＵＲＬ判定部１７１に供給する。
【０１３３】
ここで、キャリアサーバ１７Ｂは、キャリアサーバ１７Ａと異なり、広告主サイト２２の完了通知ページ１５１の携帯端末１１への送信を広告主サーバ１６に要求する際に、その要求情報に含まれるＵＲＬに、特定の値を付加して送信してくる。なお、この特定の値は、予め設定された値であり、ＵＲＬに不可視の状態で付加される。
【０１３４】
ＵＲＬ判定部１７１は、ページアクセス要求判定部１０２からのアクセス要求情報を参照し、キャリアサーバ１７Ｂからの要求情報に含まれるＵＲＬに特定の値が付加されているか否かを判定する。ＵＲＬ判定部１７１は、判定結果とアクセス要求情報を認証通知部１７２に供給する。
【０１３５】
認証通知部１７２は、ＵＲＬ判定部１７１によりＵＲＬに特定の値が付加されていないと判定された場合、アクセス要求元の認証を、キャリアサーバ１７Ｂに通知することを禁止する。あるいは、アクセス要求元の認証不可が、キャリアサーバ１７Ｂに通知される。認証通知部１７２は、ＵＲＬ判定部１７１によりＵＲＬに特定の値が付加されていると判定された場合、アクセス要求元の認証を、キャリアサーバ１７Ｂに通知する。
【０１３６】
なお、詳しくは、図１２を参照して後述するが、これに対応して、キャリアサーバ１７Ｂから、完了通知ページ１５１の情報が、携帯端末１１に送信され、完了通知ページ１５１を表示した携帯端末１１から、セッションＩＤがASP管理サーバ１５に送信される。これにより、ASP管理サーバ１５において、成果が反映される。
【０１３７】
次に、図１２を参照して、図１のアフィリエイトシステムにおける、キャリアサーバ１７Ｂの場合の不正防止処理の動作について説明する。図１２の例においては、携帯端末１１において、広告主サイト２２の登録ページ１３２が表示されてからの動作例が示されている。なお、携帯端末１１により、広告主サイト２２の登録ページ１３２が表示されるまでの動作については、図４を参照して上述した動作例と同様の処理であるので、その説明は繰り返しになるので省略する。
【０１３８】
携帯端末１１は、図１２に示されるように、広告主サーバ１６からの広告主サイト２２の登録ページ１３２の情報を受信し、広告主サイト２２の登録ページ１３２を表示する。携帯端末１１に表示される登録ページ１３２において、ユーザが登録を指示する。この指示操作に対応して、携帯端末１１は、キャリアサーバ１７Ｂに対して会員登録を要求する。
【０１３９】
キャリアサーバ１７Ｂは、携帯端末１１の登録要求を受信すると、会員登録を認証するためのパスワード入力ページ２３の情報を、ネットワーク１２を介して、携帯端末１１に送信する。
【０１４０】
携帯端末１１は、パスワード入力ページ２３の情報を受信し、パスワード入力ページ２３を表示する。携帯端末１１に表示されるパスワード入力ページ２３において、ユーザがパスワードを入力し、決定を指示する。この入力および指示操作に対応して、携帯端末１１は、キャリアサーバ１７Ｂに対してパスワードを送信する。
【０１４１】
キャリアサーバ１７Ｂは、携帯端末１１から受信したパスワードを用いて、携帯端末１１のユーザの認証処理を行い、認証された場合、広告主サイト２２の完了通知ページ１５１の携帯端末１１への送信を、広告主サーバ１６に要求する。このとき、キャリアサーバ１７Ｂは、広告主サイト２２の完了通知ページ１５１の携帯端末１１への送信を要求する際に、その要求情報のＵＲＬに、予め定められている特定の値を付加して送信してくる。
【０１４２】
広告主サーバ１６は、完了通知ページ１５１の要求元が携帯端末１１であるか否かを判定し、完了通知ページ１５１の要求元が携帯端末１１である場合、さらに、キャリアサーバ１７Ｂからの要求情報のＵＲＬに、特定の値が付加されているか否かを判定する。広告主サーバ１６は、キャリアサーバ１７Ｂからの要求情報のＵＲＬに、特定の値が付加されている場合のみ、キャリアサーバ１７Ｂにおいて広告主サイト２２への登録が完了し、成果が発生したと判定し、携帯端末１１の認証通知をキャリアサーバ１７Ｂに送信する。
【０１４３】
キャリアサーバ１７Ｂは、広告主サーバ１６からの認証通知を受けると、これに対応して、完了通知ページ１５１の情報を、携帯端末１１に送信する。なお、完了通知ページ１５１の情報には、完了通知ページ１５１の表示をきっかけに、ASP管理サーバ１５へのセッションＩＤの送信が実行される仕組みが含まれている。
【０１４４】
したがって、携帯端末１１が完了通知ページ１５１の情報を受信し、表示すると、携帯端末１１においては、ASP管理サーバ１５へのセッションＩＤの送信が実行される。これにより、ASP管理サーバ１５において、セッションＩＤに対応付けられているアフィリエイタおよびアフィリエイトサービスプロバイダに成果が反映され、登録される。
【０１４５】
すなわち、広告主サーバ１６において、キャリアサーバ１７Ｂにおける登録完了、すなわち、成果の発生は、キャリアサーバ１７Ａの場合と同様に、キャリアサーバ１７Ｂからの完了通知ページ１５１の要求をきっかけに判定される。ただし、キャリアサーバ１７Ｂは、キャリアサーバ１７Ａの場合と異なり、広告主サイト２２の完了通知ページ１５１の要求情報のＵＲＬに、特定の値を付加して送信してくる。
【０１４６】
そこで、広告主サーバ１６においては、完了通知ページ１５１の要求元が携帯端末１１でないか否か、具体的には、パーソナルコンピュータ１４１であるか否かが判定されるだけでなく、キャリアサーバ１７Ｂからの要求情報のＵＲＬに、特定の値が付加されているか否かが判定される。
【０１４７】
すなわち、広告主サーバ１６においては、要求情報のＵＲＬに、特定の値が付加されていない場合、キャリアサーバ１７Ｂからではなく、悪意のある第３者によるキャリアサーバを装った携帯端末１１からの要求情報であると判定され、キャリアサーバ１７Ｂへの認証の通知が禁止される。この結果、キャリアサーバ１７Ｂからの完了通知ページ１５１の情報の送信、および携帯端末１１からのセッションＩＤの送信が禁止される。
【０１４８】
以上のように、図１２のアフィリエイトシステム１においても、図４の場合と同様に、広告主サイト２２の登録ページ１３２へのパーソナルコンピュータ１４１からのアクセスが禁止される。これにより、パーソナルコンピュータ１４１を介しての登録ページ１３２のソースコードの漏洩を防止することができ、登録ページ１３２のソースコードが解析されることによる完了通知ページ１５１のＵＲＬ情報が解読されることを防ぐことができる。
【０１４９】
また、図１２のアフィリエイトシステム１においても、図４の場合と同様に、広告主サイト２２の登録完了ページ１５１へのパーソナルコンピュータ１４１からのアクセスが禁止される。これにより、完了通知ページ１５１のＵＲＬ情報が直接漏洩されることを防止することができる。
【０１５０】
さらに、図１２のアフィリエイトシステム１においては、広告主サイト２２の完了通知ページ１５１への不正な携帯端末１１からのアクセスが禁止される。これにより、悪意のある第３者が有する携帯端末１１やパーソナルコンピュータ１４１からの新規ユーザの携帯端末１１を装った不正な成果の反映を防止することができる。
【０１５１】
次に、図１３および図１４のフローチャートを参照して、キャリアサーバ１７Ｂに対応する場合のアフィリエイトシステム１の処理について説明する。なお、図１３に示されるステップは、図８に示されるステップと基本的に同様の処理であり、繰り返しになるので、その説明は省略する。
【０１５２】
すなわち、広告主サーバ１６のページアクセス要求受信部１０１は、登録ページ１３２の要求情報を受信し、受信した要求情報を、ページアクセス要求判定部１０２に供給する。ページアクセス要求判定部１０２は、登録ページ１３２の要求情報を参照し、登録ページ１３２のアクセスが要求されたと判定し、さらに、図１３のステップＳ２０２において、図１０を参照して上述した要求判定処理を行う。
【０１５３】
要求判定処理の判定結果と要求情報が、ページアクセス要求判定部１０２から供給されるので、これらの情報を参照し、ページ情報送信部１０３は、ステップＳ２０３において、広告主サイト２２の登録ページ１３２の情報を携帯端末１１に送信する。
【０１５４】
携帯端末１１は、広告主サーバ１６から、広告主サイト２２の登録ページ１３２の情報を受信し、ステップＳ１５８において、広告主サイト２２の登録ページ１３２を表示する。携帯端末１１に表示される登録ページ１３２において、ユーザが登録を指示する。この指示操作に対応して、携帯端末１１は、図１４のステップＳ１５９において、キャリアサーバ１７Ｂに対して会員登録を要求する。
【０１５５】
キャリアサーバ１７Ｂは、携帯端末１１からの登録要求情報を受信すると、ステップＳ２１１において、パスワード入力ページ２３の情報を、携帯端末１１に送信する。
【０１５６】
携帯端末１１は、パスワード入力ページ２３の情報を受信し、ステップＳ１６０において、パスワード入力ページ２３を表示する。携帯端末１１に表示されるパスワード入力ページ２３において、ユーザがパスワードを入力し、決定を指示する。この入力および指示操作に対応して、携帯端末１１は、ステップＳ１６１において、キャリアサーバ１７Ｂに対してパスワード情報を送信する。
【０１５７】
キャリアサーバ１７Ｂは、携帯端末１１からパスワード情報を受信し、携帯端末１１から受信したパスワードを用いて、ステップＳ２１２において、携帯端末１１のユーザの認証処理を行う。認証が完了すると、キャリアサーバ１７Ｂは、ステップＳ２１３において、広告主サイト２２の完了通知ページ１５１の携帯端末１１への送信を、広告主サーバ１６に要求する。
【０１５８】
広告主サーバ１６のページアクセス要求受信部１０１は、完了通知ページ１５１の要求情報を受信し、受信した要求情報を、ページアクセス要求判定部１０２に供給する。ページアクセス要求判定部１０２は、完了通知ページ１５１の要求情報を参照し、完了通知ページ１５１のアクセスが要求されたと判定し、さらに、ステップＳ２０４において、要求判定処理を行う。
【０１５９】
この要求判定処理は、図１５を参照して後述されるが、ステップＳ１０４の処理により、要求元がパーソナルコンピュータではなく、かつ、アクセス要求情報のＵＲＬに、特定の値が付加されていると判定される。
【０１６０】
これに対応して、認証通知部１７２は、成果が発生したと判定し、ステップＳ２０５において、広告主サーバ１６における携帯端末１１の認証を、キャリアサーバ１７Ｂに通知する。
【０１６１】
キャリアサーバ１７Ｂは、広告主サーバ１６からの認証を受けると、ステップＳ２１４において、完了通知ページ１５１の情報を携帯端末１１に送信する。なお、この完了通知ページ１５１は、広告主サイト２２の完了通知ページ１５１であってもよいし、キャリアサーバ１７Ｂが所有する完了通知ページ１５１であってもよい。
【０１６２】
ただし、この完了通知ページ１５１の情報には、図１２を参照して上述したように、完了通知ページ１５１の表示をきっかけに、ASP管理サーバ１５へのセッションＩＤの送信が実行される仕組みが含まれている。
【０１６３】
携帯端末１１は、完了通知ページ１５１の情報を受信し、ステップＳ１６２において、完了通知ページ１５１を表示するとともに、完了通知ページ１５１の情報を参照して、ステップＳ１６３において、セッションＩＤを、ASP管理サーバ１５に送信する。
【０１６４】
ASP管理サーバ１５は、携帯端末１１からのセッションＩＤを受信すると、ステップＳ１９３において、セッションＩＤに対応付けられているアフィリエイタおよびアフィリエイトサービスプロバイダに成果を反映させ、登録する。なお、ASP管理サーバ１５における成果の情報は、ASP管理サーバ１５により後日まとめてASPサーバ４に送信される。
【０１６５】
次に、図１５のフローチャートを参照して、図１４のステップＳ２０４の要求判定処理を説明する。
【０１６６】
ページアクセス要求判定部１０２は、ステップＳ２２１において、ページアクセス要求受信部１０１からのアクセス要求情報を参照し、アクセス要求元が、パーソナルコンピュータであるか否かを判定する。例えば、アクセス要求情報に含まれるアクセス要求元のアドレスが、各キャリアで公開されている特定のＩＰアドレスではない場合、ステップＳ２２１において、アクセス要求元が、パーソナルコンピュータであると判定され、広告主サーバ１６の処理は終了する。すなわち、図１４のステップＳ２０５以降の処理はスキップされる。
【０１６７】
一方、ステップＳ２２１において、アクセス要求情報に含まれるアクセス要求元のアドレスが、各キャリアで公開されている特定のＩＰアドレスである場合、アクセス要求元が、パーソナルコンピュータではないと判定された場合、ＵＲＬ判定部１７１に、判定結果とアクセス要求情報が供給され、処理は、ステップＳ２２２に進む。ステップＳ２２２において、ＵＲＬ判定部１７１は、ページアクセス要求判定部１０２からのアクセス要求情報を参照し、ＵＲＬに特定の値が付加されているか否かを判定する。ステップＳ２２２において、ＵＲＬに特定の値が付加されていると判定された場合、図１４のステップＳ２０５に戻り、それ以降の処理が行われる。
【０１６８】
すなわち、図１４のステップＳ２０５において、携帯端末１１の認証がキャリアサーバ１７Ｂに対して通知される。
【０１６９】
一方、ステップＳ２２２において、ＵＲＬに特定の値が付加されていないと判定された場合、広告主サーバ１６の処理は終了する。すなわち、図１４のステップＳ２０５の処理はスキップされる。
【０１７０】
以上のように、キャリアサーバ１７Ｂに対応する場合、キャリアサーバ１７Ａに対応する場合よりも、さらに、不正な成果の反映の防止を強化させることができる。
【０１７１】
図１６は、キャリアサーバ１７Ｃに対応する場合の広告主サーバ１６の機能的構成の例を示すブロック図である。図１６の広告主サーバ１６は、ページアクセス要求受信部１０１、ページアクセス要求判定部１０２、およびページ情報送信部１０３を含む点が、図３の広告主サーバ１６と共通している。また、図１４の広告主サーバ１６は、ブックマーク要求受信部１０７、およびブックマーク可否設定部１０８が削除されている点、並びに、通信方法設定部１８１、サーバ通知受信部１８２、および通知情報送信部１８３が追加されている点が、図３の広告主サーバ１６と異なっている。
【０１７２】
すなわち、図１３のページ情報送信部１０３は、登録ページ１３２の情報を、携帯端末１１に送信する。このとき、送信される登録ページ１３２の情報には、商品購入のページにあたる登録ページ１３２から、キャリアサーバ１７Ｃが管理するページであるパスワード入力ページ２３に遷移するとき、あるいは、それ以降のキャリアサーバ１７Ｃと携帯端末１１との間の通信方法を、通信方法設定部１８１により変更された通信方法を用いることが記載されている。
【０１７３】
通信方法設定部１８１は、広告主の操作に対応して、キャリアサーバ１７Ｃと携帯端末１１との間の通信方法の設定を変更する。例えば、通信方法は、HTTPプロトコルのGETから、POSTに変更される。
【０１７４】
サーバ通知受信部１８２は、キャリアサーバ１７Ｃからの会員登録の完了通知またはASP管理サーバ１５からの承認通知を受信し、受信した通知情報を、通知情報送信部１８３に供給する。
【０１７５】
通知情報送信部１８３は、サーバ通知受信部１８２からの承認通知情報を、キャリアサーバ１７Ｃに送信し、サーバ通知受信部１８２からの承認通知情報を、ASP管理サーバ１５に送信する。
【０１７６】
次に、図１７を参照して、図１のアフィリエイトシステムにおける、キャリアサーバ１７Ｃの場合の不正防止処理の動作について説明する。図１７の例においては、携帯端末１１において、広告主サイト２２の登録ページ１３２が表示されてからの動作例が示されている。なお、携帯端末１１により、広告主サイト２２の登録ページ１３２が表示されるまでの動作については、図４を参照して上述した動作例と同様の処理であるので、その説明は繰り返しになるので省略する。
【０１７７】
携帯端末１１は、図１７に示されるように、広告主サーバ１６からの広告主サイト２２の登録ページ１３２の情報を受信し、広告主サイト２２の登録ページ１３２を表示する。携帯端末１１に表示される登録ページ１３２において、ユーザが登録を指示する。この指示操作に対応して、携帯端末１１は、キャリアサーバ１７Ｃに対して会員登録を要求する。
【０１７８】
キャリアサーバ１７Ｃは、携帯端末１１の登録要求を受信すると、会員登録を認証するためのパスワード入力ページ２３の情報を、ネットワーク１２を介して、携帯端末１１に送信する。
【０１７９】
携帯端末１１は、パスワード入力ページ２３の情報を受信し、パスワード入力ページ２３を表示する。携帯端末１１に表示されるパスワード入力ページ２３において、ユーザがパスワードを入力し、決定を指示する。この入力および指示操作に対応して、携帯端末１１は、キャリアサーバ１７Ｃに対してパスワードを送信する。
【０１８０】
なお、広告主サーバ１６から携帯端末１１に対して送信される登録ページ１３２の情報には、それ以降のキャリアサーバ１７Ｃと携帯端末１１との間の通信方法として、通信方法設定部１８１によりHTTPプロトコルのGETから変更されたPOSTが用いられる記載が含まれている。したがって、上述した携帯端末１１からキャリアサーバ１７Ｃへの登録の要求、キャリアサーバ１７Ｃからパスワード入力ページ２３の情報の送信、および、携帯端末１１からキャリアサーバ１７Ｃへのパスワードの送信には、通信方法として、POSTが用いられる。
【０１８１】
キャリアサーバ１７Ｃは、携帯端末１１から受信したパスワードを用いて、携帯端末１１のユーザの認証処理を行い、認証された場合、登録の完了を広告主サーバ１６に通知する。
【０１８２】
広告主サーバ１６は、キャリアサーバ１７Ｃにおいて、広告主サイト２２への登録が完了した場合、成果が発生したと判定し、キャリアサーバ１７Ｃからの登録完了の通知情報を、ASP管理サーバ１５に送信する。登録完了の通知情報には、セッションＩＤも含まれており、これにより、ASP管理サーバ１５において、セッションＩＤに対応付けられているアフィリエイタおよびアフィリエイトサービスプロバイダに成果が反映され、登録される。
【０１８３】
ASP管理サーバ１５は、成果を反映すると、承認を広告主サーバ１６に通知する。広告主サーバ１６は、ASP管理サーバ１５からの承認を受けると、ASP管理サーバ１５からの承認の通知情報を、キャリアサーバ１７Ｃに送信する。なお、この承認の通知情報には、広告主サーバ１６の承認も含まれる。
【０１８４】
キャリアサーバ１７Ｃは、ASP管理サーバ１５からの承認の通知情報を広告主サーバ１６から受信すると、この通知に対応して、完了通知ページ１５１を携帯端末１１に送信する。
【０１８５】
すなわち、広告主サーバ１６においては、キャリアサーバ１７Ｃにおける登録完了、すなわち、成果の発生は、キャリアサーバ１７Ａおよび１７Ｂと異なり、キャリアサーバ１７Ｃからの登録完了の通知をきっかけに判定される。
【０１８６】
したがって、図１７の例の場合、広告主サイト２２の完了通知ページ１５１のＵＲＬが漏洩しても不正な成果の反映には関係なく、ユーザ認証後の登録完了通知の送受信のためのＵＲＬの漏洩防止が求められる。
【０１８７】
一般的に、キャリアサーバ１７Ｃおよび携帯端末１１間の通信方法は、HTTPプロトコルのGETを用いて行われることが多い。しかしながら、GETが用いられる場合、キャリアサーバ１７Ｃおよび携帯端末１１間の通信情報には、ユーザ認証後の登録完了通知の送受信のためのＵＲＬが含まれてしまうことがある。したがって、GETが用いられた場合、このＵＲＬが漏洩してしまう恐れがあった。
【０１８８】
そこで、図１７のアフィリエイトシステム１においては、キャリアサーバ１７Ｃおよび携帯端末１１間の通信方法が、HTTPプロトコルのGETから、POSTに変更される。具体的には、広告主サーバ１６において、携帯端末１１に送信される登録ページ１３２の情報に、キャリアサーバ１７Ｃおよび携帯端末１１間の通信方法としてPOSTを用いることが記載される。これにより、キャリアサーバ１７Ｃおよび携帯端末１１間の通信に、ユーザ認証後の登録完了通知の送受信のためのＵＲＬは含まれなくなる。したがって、ユーザ認証後の登録完了通知の送受信のためのＵＲＬの漏洩を防止することができる。
【０１８９】
この結果、悪意のある第３者により携帯端末１１やパーソナルコンピュータ１４１が用いられて、キャリアサーバ１７Ｃからの登録完了の通知を偽装することによる不正な成果の反映を未然に防止することができる。
【０１９０】
また、図１７のアフィリエイトシステム１においても、広告主サイト２２の登録ページ１３２へのパーソナルコンピュータ１４１からのアクセスが禁止される。これにより、パーソナルコンピュータ１４１を介しての登録ページ１３２のソースコードの漏洩を防止することができ、登録ページ１３２のソースコードが解析されることによるユーザ認証後の登録完了通知の送受信のためのＵＲＬが解読されることを防ぐことができる。
【０１９１】
次に、図１８のフローチャートを参照して、広告主サーバ１６の設定処理について説明する。
【０１９２】
広告主は、入力部５６を構成するマウスなどを操作し、登録ページ１３２の情報において、キャリアサーバ１７Ｃと携帯端末１１間の通信方法を変更する指示を行う。通信方法設定部１８１は、ステップＳ２３１において、通信方法の変更が指示されたか否かを判定する。例えば、広告主が、マウスなどを用いて、HTTPプロトコルのGETから、POSTに変更する操作を行う。広告主の操作に対応して、通信方法設定部１８１は、ステップＳ２３１において、通信方法の変更が指示されたと判定し、処理は、ステップＳ２３２に進む。
【０１９３】
ステップＳ２３２において、通信方法設定部１８１は、登録ページ１３２の情報におけるキャリアサーバ１７Ｃと携帯端末１１間の通信方法を、GETから、POSTに変更する。
【０１９４】
ステップＳ２３１において、通信方法の変更が指示されなかったと判定された場合、設定処理は終了される。
【０１９５】
ステップＳ２３２において通信方法が変更された登録ページ１３２の情報は、図１９のステップＳ３０３において携帯端末１１に送信される。そして、ステップＳ２３２において変更された通信方法は、後述する図２０のステップＳ２５９の登録要求、ステップＳ３１１のパスワード入力ページ情報の送信、およびステップＳ２６１のパスワード情報の送信などに用いられる。
【０１９６】
次に、図１９および図２０のフローチャートを参照して、キャリアサーバ１７Ｃに対応する場合のアフィリエイトシステム１の処理について説明する。なお、図１９に示されるステップは、図８に示されるステップと基本的に同様の処理であり、繰り返しになるので、その説明は省略する。
【０１９７】
すなわち、広告主サーバ１６のページアクセス要求受信部１０１は、登録ページ１３２の要求情報を受信し、受信した要求情報を、ページアクセス要求判定部１０２に供給する。ページアクセス要求判定部１０２は、登録ページ１３２の要求情報を参照し、登録ページ１３２のアクセスが要求されたと判定し、さらに、ステップＳ３０２において、要求判定処理を行う。この要求判定処理は、図１０を参照して上述した処理と同じ処理であり、ステップＳ３０２の処理により、要求元がパーソナルコンピュータではないと判定される。
【０１９８】
これに対応して、ページ情報送信部１０３は、ステップＳ３０３において、広告主サイト２２の登録ページ１３２の情報を携帯端末に送信する。この登録ページ１３２の情報には、キャリアサーバ１７Ｃと携帯端末１１間の通信方法として、図１８の処理により変更されたPOSTが用いられる記載が含まれている。
【０１９９】
携帯端末１１は、広告主サーバ１６から、広告主サイト２２の登録ページ１３２の情報を受信し、ステップＳ２５８において、広告主サイト２２の登録ページ１３２を表示する。携帯端末１１に表示される登録ページ１３２において、ユーザが登録を指示する。この指示操作に対応して、携帯端末１１は、図２０のステップＳ２５９において、キャリアサーバ１７Ｃに対して会員登録を要求する。
【０２００】
キャリアサーバ１７Ｃは、携帯端末１１からの登録要求情報を受信すると、ステップＳ３１１において、パスワード入力ページ２３の情報を、携帯端末１１に送信する。
【０２０１】
携帯端末１１は、パスワード入力ページ２３の情報を受信し、ステップＳ２６０において、パスワード入力ページ２３を表示する。携帯端末１１に表示されるパスワード入力ページ２３において、ユーザがパスワードを入力し、決定を指示する。この入力および指示操作に対応して、携帯端末１１は、ステップＳ２６１において、キャリアサーバ１７Ｃに対してパスワード情報を送信する。
【０２０２】
以上のステップＳ２５９、ステップＳ３１１、およびＳ２６１においては、通信方法として、POSTが用いられて、情報が送受信されている。これにより、キャリアサーバ１７Ｃおよび携帯端末１１間の通信に、ユーザ認証後の登録完了通知の送受信のためのＵＲＬは含まれなくなる。したがって、ユーザ認証後の登録完了通知の送受信のためのＵＲＬの漏洩を防止することができる。
【０２０３】
キャリアサーバ１７Ｃは、携帯端末１１からパスワード情報を受信し、携帯端末１１から受信したパスワードを用いて、ステップＳ３１２において、携帯端末１１のユーザの認証処理を行う。認証が完了すると、キャリアサーバ１７Ｃは、ステップＳ３１３において、登録の完了を広告主サーバ１６に通知する。
【０２０４】
広告主サーバ１６のサーバ通知受信部１８２は、キャリアサーバ１７Ｃにおいて、広告主サイト２２への登録が完了した場合、成果が発生したと判定し、受信した通知情報を、通知情報送信部１８３に供給する。通知情報送信部１８３は、ステップＳ３０４において、キャリアサーバ１７Ｃからの登録完了の通知情報を、ASP管理サーバ１５に送信する。
【０２０５】
ASP管理サーバ１５は、広告主サーバ１６からの通知情報を受信し、ステップＳ２９３において、受信した通知情報を参照して、成果を反映する。登録完了の通知情報には、セッションＩＤも含まれており、これにより、ASP管理サーバ１５において、セッションＩＤに対応付けられているアフィリエイタおよびアフィリエイトサービスプロバイダに成果が反映され、登録される。なお、ASP管理サーバ１５における成果の情報は、ASP管理サーバ１５により後日まとめてASPサーバ１４に送信される。
【０２０６】
ASP管理サーバ１５は、ステップＳ２９４において、登録の承認を広告主サーバ１６に通知する。広告主サーバ１６のサーバ通知受信部１８２は、ASP管理サーバ１５からの承認を受けると、受信した通知情報を、通知情報送信部１８３に供給する。通知情報送信部１８３は、ステップＳ３０５において、ASP管理サーバ１５からの承認の通知情報に、広告主サーバ１６における承認も含めて、キャリアサーバ１７Ｃに送信する。
【０２０７】
キャリアサーバ１７Ｃは、広告主サーバ１６から、承認の通知情報を受信すると、ステップＳ３１４において、完了通知ページ１５１の情報を携帯端末１１に送信する。なお、この完了通知ページ１５１は、広告主サイト２２の完了通知ページ１５１であってもよいし、キャリアサーバ１７Ｃが所有する完了通知ページ１５１であってもよい。
【０２０８】
携帯端末１１は、キャリアサーバ１７Ｃからの完了通知ページ１５１の情報を受信し、ステップＳ２６２において、完了通知ページ１５１を表示する。
【０２０９】
以上のように、アフィリエイトシステム１においては、キャリアサーバ１７に応じて、成果発生のきっかけとなるＵＲＬの漏洩を防ぐようにした。これにより、不正な成果の反映を防ぐことができる。
【０２１０】
なお、上記説明においては、図３、図１１、および図１６に、それぞれ、キャリアサーバ１７の種類毎の広告主サーバ１６の機能構成例を示したが、すべて備えるように構成することもできる。また、図３、図１１、および図１６に示した機能ブロックを、適宜組み合わせるようにしてもよい。
【０２１１】
上述した一連の処理は、ハードウェアにより実効させることもできるし、ソフトウェアにより実効させることもできる。一連の処理を、ソフトウェアにより実行させる場合には、図２のコンピュータにおいては、CPU５１が、例えば、記憶部５８に記憶されているプログラムを入出力インタフェース５５及びバス５４を介してRAM５３にロードして実行することにより、上述した一連の処理が行われる。
【０２１２】
コンピュータ（CPU５１）が実行するプログラムは、例えば、パッケージメディア等としてのリムーバブルメディア６１に記録して提供することができる。また、プログラムは、ローカルエリアネットワーク、インターネット、デジタル放送といった、有線または無線の伝送媒体を介して提供することができる。
【０２１３】
コンピュータでは、プログラムは、リムーバブルメディア６１をドライブ６０に装着することにより、入出力インタフェース５５を介して、記憶部５８にインストールすることができる。また、プログラムは、有線または無線の伝送媒体を介して、通信部５９で受信し、記憶部５８にインストールすることができる。その他、プログラムは、ROM５２や記憶部５８に、あらかじめインストールしておくことができる。
【０２１４】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２１５】
また、本明細書において、システムとは、複数の装置により構成される装置全体を表すものである。
【０２１６】
なお、本発明の実施の形態は、上述した実施の形態に限定されるものではなく、本発明の要旨を逸脱しない範囲において種々の変更が可能である。
【符号の説明】
【０２１７】
１  アフィリエイトシステム，  １１  携帯端末，  １２  ネットワーク，  １３  サイト管理装置，  １４  ASPサーバ，  １５  ASP管理サーバ，  １６  広告主サーバ,  １７,１７Ａ,１７Ｂ,１７Ｃ  キャリアサーバ，  ２１  ウェブサイト，  ２２  広告主サイト，  １０１  ページアクセス要求受信部，  １０２  ページアクセス要求判定部，  １０３  ページ情報送信部，  １０４  セッションＩＤ送信部，  １０７  ブックマーク要求受信部，  １０８  ブックマーク可否設定部，  １２１  広告，  １３１  トップページ，  １３２  登録ページ，  １５１  登録完了ページ，  １７１  ＵＲＬ判定部，  １７２  認証通知部,  １８１  送信方法設定部，  １８２  サーバ通知受信部，  １８３  通知情報送信部
【図１】
2010224621.tif 000003
【図２】
2010224621.tif 000004
【図３】
2010224621.tif 000005
【図４】
2010224621.tif 000006
【図５】
2010224621.tif 000007
【図６】
2010224621.tif 000008
【図７】
2010224621.tif 000009
【図８】
2010224621.tif 000010
【図９】
2010224621.tif 000011
【図１０】
2010224621.tif 000012
【図１１】
2010224621.tif 000013
【図１２】
2010224621.tif 000014
【図１３】
2010224621.tif 000015
【図１４】
2010224621.tif 000016
【図１５】
2010224621.tif 000017
【図１６】
2010224621.tif 000018
【図１７】
2010224621.tif 000019
【図１８】
2010224621.tif 000020
【図１９】
2010224621.tif 000021
【図２０】
2010224621.tif 000022
【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
携帯電話機向けの成果報酬型のアフィリエイト対象の商品を販売するウェブサイトを管理する情報処理装置において、
前記ウェブサイトを構成する所定のページのうち、前記商品の購入を行うためのページであって、アクセスされることで成果発生のきっかけとなるＵＲＬ情報をそのソースコードに含む購入ページへのアクセス要求を受信するアクセス要求受信手段と、
前記アクセス要求受信手段により受信された前記購入ページへの前記アクセス要求が、携帯電話機からのものである場合、前記購入ページを構成する情報を、前記携帯電話機に送信し、前記アクセス要求受信手段により受信された前記購入ページへの前記アクセス要求が、携帯電話機からのものではない場合、前記購入ページを構成する情報の送信を禁止するページ情報送信手段と
を備える情報処理装置。
【請求項２】
前記ＵＲＬ情報は、前記商品の購入が完了したことを通知するための完了通知ページのＵＲＬ情報であり、
前記アクセス要求受信手段は、さらに、前記完了通知ページへのアクセス要求も受信し、
前記ページ情報送信手段は、前記アクセス要求受信手段により受信された前記完了通知ページへの前記アクセス要求が、携帯電話機からのものである場合、前記完了通知ページを構成する情報を、前記携帯電話機に送信し、前記アクセス要求受信手段により受信された前記完了通知ページへの前記アクセス要求が、携帯電話機からのものではない場合、前記完了通知ページを構成する情報の送信を禁止する
請求項１に記載の情報処理装置。
【請求項３】
前記ページ情報送信手段により送信された前記完了通知ページを受信した前記携帯電話機からの前記完了通知ページのＵＲＬの記録要求を受信する記録要求受信手段と、
前記記録要求受信手段により受信された記録要求を送信してきた前記携帯電話機に対して、前記完了通知ページのＵＲＬ情報の記録を禁止するＵＲＬ情報記録制御手段と
をさらに備える請求項２に記載の情報処理装置。
【請求項４】
前記ページ情報送信手段は、さらに、前記アクセス要求受信手段により受信された前記完了通知ページへの前記アクセス要求が、携帯電話機からのものであっても、前記アクセス要求受信手段により受信された前記完了通知ページへの前記アクセス要求の情報に特定の値が付加されていない場合、前記完了通知ページを構成する情報の前記携帯電話機への送信を禁止する
請求項２に記載の情報処理装置。
【請求項５】
前記購入ページを構成する情報において、前記購入ページから、キャリアサーバが管理するページに遷移する以降の通信方法を変更する通信方法変更手段をさらに備え、
前記ページ情報送信手段は、前記アクセス要求受信手段により受信された前記購入ページへの前記アクセス要求が、携帯電話機からのものである場合、前記通信方法変更手段により変更された前記通信方法が記載されている前記購入ページを構成する情報を前記携帯電話機に送信する
請求項１に記載の情報処理装置。
【請求項６】
前記商品は、前記ウェブサイトへの会員登録である
請求項１に記載の情報処理装置。
【請求項７】
携帯電話機向けの成果報酬型のアフィリエイト対象の商品を販売するウェブサイトを管理し、アクセス要求受信手段と、ページ情報送信手段とを備える情報処理装置の情報処理装置において、
前記アクセス要求受信手段が、前記ウェブサイトを構成する所定のページのうち、前記商品の購入を行うためのページであって、アクセスされることで成果発生のきっかけとなるＵＲＬ情報をそのソースコードに含む購入ページへのアクセス要求を受信し、
前記ページ情報送信手段が、受信された前記購入ページへの前記アクセス要求が、携帯電話機からのものである場合、前記購入ページを構成する情報を、前記携帯電話機に送信し、前記アクセス要求受信手段により受信された前記購入ページへの前記アクセス要求が、携帯電話機からのものではない場合、前記購入ページを構成する情報の送信を禁止するステップ
を含む情報処理方法。
【請求項８】
携帯電話機向けの成果報酬型のアフィリエイト対象の商品を販売するウェブサイトを管理し、アクセス要求受信手段と、ページ情報送信手段とを備える情報処理装置のコンピュータを、
前記ウェブサイトを構成する所定のページのうち、前記商品の購入を行うためのページであって、アクセスされることで成果発生のきっかけとなるＵＲＬ情報をそのソースコードに含む購入ページへのアクセス要求を受信するアクセス要求受信手段と、
受信された前記購入ページへの前記アクセス要求が、携帯電話機からのものである場合、前記購入ページを構成する情報を、前記携帯電話機に送信し、前記アクセス要求受信手段により受信された前記購入ページへの前記アクセス要求が、携帯電話機からのものではない場合、前記購入ページを構成する情報の送信を禁止するページ情報送信手段と
して機能させるためのプログラム。
【手続補正２】
【補正対象書類名】明細書
【補正対象項目名】０００８
【補正方法】変更
【補正の内容】
【０００８】
本発明の一側面の情報処理装置は、携帯電話機向けの成果報酬型のアフィリエイト対象の商品を販売するウェブサイトを管理する情報処理装置において、前記ウェブサイトを構成する所定のページのうち、前記商品の購入を行うためのページであって、アクセスされることで成果発生のきっかけとなるＵＲＬ情報をそのソースコードに含む購入ページへのアクセス要求を受信するアクセス要求受信手段と、前記アクセス要求受信手段により受信された前記購入ページへの前記アクセス要求が、携帯電話機からのものである場合、前記購入ページを構成する情報を、前記携帯電話機に送信し、前記アクセス要求受信手段により受信された前記購入ページへの前記アクセス要求が、携帯電話機からのものではない場合、前記購入ページを構成する情報の送信を禁止するページ情報送信手段とを備える。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
前記ＵＲＬ情報は、前記商品の購入が完了したことを通知するための完了通知ページのＵＲＬ情報であり、前記アクセス要求受信手段は、さらに、前記完了通知ページへのアクセス要求も受信し、前記ページ情報送信手段は、前記アクセス要求受信手段により受信された前記完了通知ページへの前記アクセス要求が、携帯電話機からのものである場合、前記完了通知ページを構成する情報を、前記携帯電話機に送信し、前記アクセス要求受信手段により受信された前記完了通知ページへの前記アクセス要求が、携帯電話機からのものではない場合、前記完了通知ページを構成する情報の送信を禁止することができる。
【手続補正５】
【補正対象書類名】明細書
【補正対象項目名】００１１
【補正方法】変更
【補正の内容】
【００１１】
前記ページ情報送信手段により送信された前記完了通知ページを受信した前記携帯電話機からの前記完了通知ページのＵＲＬの記録要求を受信する記録要求受信手段と、前記記録要求受信手段により受信された記録要求を送信してきた前記携帯電話機に対して、前記完了通知ページのＵＲＬ情報の記録を禁止するＵＲＬ情報記録制御手段とをさらに備えることができる。
【手続補正６】
【補正対象書類名】明細書
【補正対象項目名】００１２
【補正方法】変更
【補正の内容】
【００１２】
前記ページ情報送信手段は、さらに、前記アクセス要求受信手段により受信された前記完了通知ページへの前記アクセス要求が、携帯電話機からのものであっても、前記アクセス要求受信手段により受信された前記完了通知ページへの前記アクセス要求の情報に特定の値が付加されていない場合、前記完了通知ページを構成する情報の前記携帯電話機への送信を禁止することができる。
【手続補正７】
【補正対象書類名】明細書
【補正対象項目名】００１３
【補正方法】変更
【補正の内容】
【００１３】
前記購入ページを構成する情報において、前記購入ページから、キャリアサーバが管理するページに遷移する以降の通信方法を変更する通信方法変更手段をさらに備え、前記ページ情報送信手段は、前記アクセス要求受信手段により受信された前記購入ページへの前記アクセス要求が、携帯電話機からのものである場合、前記通信方法変更手段により変更された前記通信方法が記載されている前記購入ページを構成する情報を前記携帯電話機に送信することができる。
【手続補正８】
【補正対象書類名】明細書
【補正対象項目名】００１５
【補正方法】変更
【補正の内容】
【００１５】
本発明の一側面の情報処理方法は、携帯電話機向けの成果報酬型のアフィリエイト対象の商品を販売するウェブサイトを管理し、アクセス要求受信手段と、ページ情報送信手段とを備える情報処理装置の情報処理装置において、前記アクセス要求受信手段が、前記ウェブサイトを構成する所定のページのうち、前記商品の購入を行うためのページであって、アクセスされることで成果発生のきっかけとなるＵＲＬ情報をそのソースコードに含む購入ページへのアクセス要求を受信し、前記ページ情報送信手段が、受信された前記購入ページへの前記アクセス要求が、携帯電話機からのものである場合、前記購入ページを構成する情報を、前記携帯電話機に送信し、前記アクセス要求受信手段により受信された前記購入ページへの前記アクセス要求が、携帯電話機からのものではない場合、前記購入ページを構成する情報の送信を禁止するステップを含む。
【手続補正９】
【補正対象書類名】明細書
【補正対象項目名】００１６
【補正方法】変更
【補正の内容】
【００１６】
本発明の一側面のプログラムは、携帯電話機向けの成果報酬型のアフィリエイト対象の商品を販売するウェブサイトを管理し、アクセス要求受信手段と、ページ情報送信手段とを備える情報処理装置のコンピュータを、前記ウェブサイトを構成する所定のページのうち、前記商品の購入を行うためのページであって、アクセスされることで成果発生のきっかけとなるＵＲＬ情報をそのソースコードに含む購入ページへのアクセス要求を受信するアクセス要求受信手段と、受信された前記購入ページへの前記アクセス要求が、携帯電話機からのものである場合、前記購入ページを構成する情報を、前記携帯電話機に送信し、前記アクセス要求受信手段により受信された前記購入ページへの前記アクセス要求が、携帯電話機からのものではない場合、前記購入ページを構成する情報の送信を禁止するページ情報送信手段として機能させる。
【手続補正１０】
【補正対象書類名】明細書
【補正対象項目名】００１７
【補正方法】変更
【補正の内容】
【００１７】
本発明の一側面においては、携帯電話機向けの成果報酬型のアフィリエイト対象の商品を販売するウェブサイトを構成する所定のページのうち、前記商品の購入を行うためのページであって、アクセスされることで成果発生のきっかけとなるＵＲＬ情報をそのソースコードに含む購入ページへのアクセス要求が受信される。そして、受信された前記購入ページへの前記アクセス要求が、携帯電話機からのものである場合、前記購入ページを構成する情報が、前記携帯電話機に送信され、受信された前記購入ページへの前記アクセス要求が、携帯電話機からのものではない場合、前記購入ページを構成する情報の送信が禁止される。
【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
携帯電話機向けの成果報酬型のアフィリエイト対象の商品を販売するウェブサイトを管理する情報処理装置において、
前記ウェブサイトを構成する所定のページのうち、前記商品の購入を行うためのページであって、アクセスされることで成果発生となる、前記商品の購入が完了したことを通知するための完了通知ページのＵＲＬ情報をそのソースコードに含む購入ページおよび前記完了通知ページの一方へのアクセス要求を受信するアクセス要求受信手段と、
前記アクセス要求受信手段により受信された前記購入ページおよび前記完了通知ページの一方への前記アクセス要求が、携帯電話機からのものである場合、前記購入ページおよび前記完了通知ページの一方を構成する情報を、前記携帯電話機に送信し、前記アクセス要求受信手段により受信された前記購入ページおよび前記完了通知ページの一方への前記アクセス要求が、パーソナルコンピュータからのものである場合、前記購入ページおよび前記完了通知ページの一方を構成する情報の送信を禁止するページ情報送信手段と、
前記ＵＲＬ情報がアクセスされることにより、前記成果発生を通知するための情報を、他のウェブサイトの所定のページに貼られている前記商品の広告リンクの選択に応じてなされるアクセスに対してセッションＩＤを付加して、前記ウェブサイトの所定のページにリダイレクト指示を行い、受信した前記成果発生を通知するための情報に含まれる前記セッションＩＤに対応してその成果を登録する管理サーバに、前記成果を登録させるために送信する成果情報送信手段と、
前記完了通知ページのブックマークを拒否設定にするブックマーク設定手段と
を備える情報処理装置。
【請求項２】
携帯電話機向けの成果報酬型のアフィリエイト対象の商品を販売するウェブサイトを管理し、アクセス要求受信手段と、ページ情報送信手段と、成果情報送信手段と、ブックマーク設定手段とを備える情報処理装置の情報処理方法において、
前記アクセス要求受信手段が、前記ウェブサイトを構成する所定のページのうち、前記商品の購入を行うためのページであって、アクセスされることで成果発生となる、前記商品の購入が完了したことを通知するための完了通知ページのＵＲＬ情報をそのソースコードに含む購入ページおよび前記完了通知ページの一方へのアクセス要求を受信し、
前記ページ情報送信手段が、受信された前記購入ページおよび前記完了通知ページの一方への前記アクセス要求が、携帯電話機からのものである場合、前記購入ページおよび前記完了通知ページの一方を構成する情報を、前記携帯電話機に送信し、前記アクセス要求受信手段により受信された前記購入ページおよび前記完了通知ページの一方への前記アクセス要求が、パーソナルコンピュータからのものである場合、前記購入ページおよび前記完了通知ページの一方を構成する情報の送信を禁止し、
前記成果情報送信手段が、前記ＵＲＬ情報がアクセスされることにより、前記成果発生を通知するための情報を、他のウェブサイトの所定のページに貼られている前記商品の広告リンクの選択に応じてなされるアクセスに対してセッションＩＤを付加して、前記ウェブサイトの所定のページにリダイレクト指示を行い、受信した前記成果発生を通知するための情報に含まれる前記セッションＩＤに対応してその成果を登録する管理サーバに、前記成果を登録させるために送信し、
前記ブックマーク設定手段が、前記完了通知ページのブックマークを拒否設定にするステップ
を含む情報処理方法。
【請求項３】
携帯電話機向けの成果報酬型のアフィリエイト対象の商品を販売するウェブサイトを管理する情報処理装置のコンピュータを、
前記ウェブサイトを構成する所定のページのうち、前記商品の購入を行うためのページであって、アクセスされることで成果発生となる、前記商品の購入が完了したことを通知するための完了通知ページのＵＲＬ情報をそのソースコードに含む購入ページおよび前記完了通知ページの一方へのアクセス要求を受信するアクセス要求受信手段と、
前記アクセス要求受信手段により受信された前記購入ページおよび前記完了通知ページの一方への前記アクセス要求が、携帯電話機からのものである場合、前記購入ページおよび前記完了通知ページの一方を構成する情報を、前記携帯電話機に送信し、前記アクセス要求受信手段により受信された前記購入ページおよび前記完了通知ページの一方への前記アクセス要求が、パーソナルコンピュータからのものである場合、前記購入ページおよび前記完了通知ページの一方を構成する情報の送信を禁止するページ情報送信手段と、
前記ＵＲＬ情報がアクセスされることにより、前記成果発生を通知するための情報を、他のウェブサイトの所定のページに貼られている前記商品の広告リンクの選択に応じてなされるアクセスに対してセッションＩＤを付加して、前記ウェブサイトの所定のページにリダイレクト指示を行い、受信した前記成果発生を通知するための情報に含まれる前記セッションＩＤに対応してその成果を登録する管理サーバに、前記成果を登録させるために送信する成果情報送信手段と、
前記完了通知ページのブックマークを拒否設定にするブックマーク設定手段と
して機能させるためのプログラム。
【請求項４】
携帯電話機向けの成果報酬型のアフィリエイト対象の商品を販売するウェブサイトを管理する情報処理装置において、
前記ウェブサイトを構成する所定のページのうち、前記商品の購入を行うためのページであって、アクセスされることで成果発生となる、前記商品の購入が完了したことを通知するための完了通知ページのＵＲＬ情報をそのソースコードに含む購入ページおよび前記完了通知ページの一方へのアクセス要求を受信するアクセス要求受信手段と、
前記アクセス要求受信手段により受信された前記購入ページおよび前記完了通知ページの一方への前記アクセス要求が、携帯電話機からのものである場合、前記購入ページおよび前記完了通知ページの一方を構成する情報を、前記携帯電話機に送信し、前記アクセス要求受信手段により受信された前記購入ページおよび前記完了通知ページの一方への前記アクセス要求が、パーソナルコンピュータからのものである場合、前記購入ページおよび前記完了通知ページの一方を構成する情報の送信を禁止するページ情報送信手段と、
前記ＵＲＬ情報がアクセスされることにより、前記成果発生を通知するための情報を、他のウェブサイトの所定のページに貼られている前記商品の広告リンクの選択に応じてなされるアクセスに対してセッションＩＤを付加して、前記ウェブサイトの所定のページにリダイレクト指示を行い、受信した前記成果発生を通知するための情報に含まれる前記セッションＩＤに対応してその成果を登録する管理サーバに、前記成果を登録させるために、前記携帯電話機に対応するキャリアサーバを介して送信する成果情報送信手段と
を備え、
前記ページ情報送信手段は、さらに、前記アクセス要求受信手段により受信された前記完了通知ページへの前記アクセス要求が、携帯電話機からのものであっても、前記アクセス要求受信手段により受信された前記完了通知ページへの前記アクセス要求の情報に特定の値が付加されていない場合、前記完了通知ページを構成する情報の前記携帯電話機への送信を禁止する
情報処理装置。
【請求項５】
携帯電話機向けの成果報酬型のアフィリエイト対象の商品を販売するウェブサイトを管理し、アクセス要求受信手段と、ページ情報送信手段と、成果情報送信手段とを備える情報処理装置の情報処理方法において、
前記アクセス要求受信手段が、前記ウェブサイトを構成する所定のページのうち、前記商品の購入を行うためのページであって、アクセスされることで成果発生となる、前記商品の購入が完了したことを通知するための完了通知ページのＵＲＬ情報をそのソースコードに含む購入ページおよび前記完了通知ページの一方へのアクセス要求を受信し、
前記ページ情報送信手段が、受信された前記購入ページおよび前記完了通知ページの一方への前記アクセス要求が、携帯電話機からのものである場合、前記購入ページおよび前記完了通知ページの一方を構成する情報を、前記携帯電話機に送信し、前記アクセス要求受信手段により受信された前記購入ページおよび前記完了通知ページの一方への前記アクセス要求が、パーソナルコンピュータからのものである場合、前記購入ページおよび前記完了通知ページの一方を構成する情報の送信を禁止し、
前記成果情報送信手段が、前記ＵＲＬ情報がアクセスされることにより、前記成果発生を通知するための情報を、他のウェブサイトの所定のページに貼られている前記商品の広告リンクの選択に応じてなされるアクセスに対してセッションＩＤを付加して、前記ウェブサイトの所定のページにリダイレクト指示を行い、受信した前記成果発生を通知するための情報に含まれる前記セッションＩＤに対応してその成果を登録する管理サーバに、前記成果を登録させるために、前記携帯電話機に対応するキャリアサーバを介して送信するステップ
を含み、
前記ページ情報送信手段が、さらに、前記アクセス要求受信手段により受信された前記完了通知ページへの前記アクセス要求が、携帯電話機からのものであっても、前記アクセス要求受信手段により受信された前記完了通知ページへの前記アクセス要求の情報に特定の値が付加されていない場合、前記完了通知ページを構成する情報の前記携帯電話機への送信を禁止する
情報処理方法。
【請求項６】
携帯電話機向けの成果報酬型のアフィリエイト対象の商品を販売するウェブサイトを管理する情報処理装置のコンピュータを、
前記ウェブサイトを構成する所定のページのうち、前記商品の購入を行うためのページであって、アクセスされることで成果発生となる、前記商品の購入が完了したことを通知するための完了通知ページのＵＲＬ情報をそのソースコードに含む購入ページおよび前記完了通知ページの一方へのアクセス要求を受信するアクセス要求受信手段と、
前記アクセス要求受信手段により受信された前記購入ページおよび前記完了通知ページの一方への前記アクセス要求が、携帯電話機からのものである場合、前記購入ページおよび前記完了通知ページの一方を構成する情報を、前記携帯電話機に送信し、前記アクセス要求受信手段により受信された前記購入ページおよび前記完了通知ページの一方への前記アクセス要求が、パーソナルコンピュータからのものである場合、前記購入ページおよび前記完了通知ページの一方を構成する情報の送信を禁止するページ情報送信手段と、
前記ＵＲＬ情報がアクセスされることにより、前記成果発生を通知するための情報を、他のウェブサイトの所定のページに貼られている前記商品の広告リンクの選択に応じてなされるアクセスに対してセッションＩＤを付加して、前記ウェブサイトの所定のページにリダイレクト指示を行い、受信した前記成果発生を通知するための情報に含まれる前記セッションＩＤに対応してその成果を登録する管理サーバに、前記成果を登録させるために、前記携帯電話機に対応するキャリアサーバを介して送信する成果情報送信手段と
して機能させ、
前記ページ情報送信手段が、さらに、前記アクセス要求受信手段により受信された前記完了通知ページへの前記アクセス要求が、携帯電話機からのものであっても、前記アクセス要求受信手段により受信された前記完了通知ページへの前記アクセス要求の情報に特定の値が付加されていない場合、前記完了通知ページを構成する情報の前記携帯電話機への送信を禁止する
ように機能させるためのプログラム。
【請求項７】
携帯電話機向けの成果報酬型のアフィリエイト対象の商品を販売するウェブサイトを管理する情報処理装置において、
前記ウェブサイトを構成する所定のページのうち、前記商品の購入を行うためのページであって、アクセスされることで成果発生となるＵＲＬ情報をそのソースコードに含む購入ページへのアクセス要求を受信するアクセス要求受信手段と、
前記アクセス要求受信手段により受信された前記購入ページへの前記アクセス要求が、携帯電話機からのものである場合、前記購入ページを構成する情報を、前記携帯電話機に送信し、前記アクセス要求受信手段により受信された前記購入ページへの前記アクセス要求が、パーソナルコンピュータからのものである場合、前記購入ページを構成する情報の送信を禁止するページ情報送信手段と、
前記ＵＲＬ情報がアクセスされることにより、前記成果発生を通知するための情報を、他のウェブサイトの所定のページに貼られている前記商品の広告リンクの選択に応じてなされるアクセスに対してセッションＩＤを付加して、前記ウェブサイトの所定のページにリダイレクト指示を行い、受信した前記成果発生を通知するための情報に含まれる前記セッションＩＤに対応してその成果を登録する管理サーバに、前記成果を登録させるために送信する成果情報送信手段と、
前記購入ページを構成する情報において、前記購入ページから、前記キャリアサーバが管理するページに遷移する以降の通信方法を変更する通信方法変更手段と
を備え、
前記ページ情報送信手段は、さらに、前記アクセス要求受信手段により受信された前記購入ページへの前記アクセス要求が、携帯電話機からのものである場合、前記通信方法変更手段により変更された前記通信方法が記載されている前記購入ページを構成する情報を前記携帯電話機に送信する
情報処理装置。
【請求項８】
携帯電話機向けの成果報酬型のアフィリエイト対象の商品を販売するウェブサイトを管理し、アクセス要求受信手段と、ページ情報送信手段と、成果情報送信手段と、通信方法変更手段とを備える情報処理装置の情報処理方法において、
前記アクセス要求受信手段が、前記ウェブサイトを構成する所定のページのうち、前記商品の購入を行うためのページであって、アクセスされることで成果発生となるＵＲＬ情報をそのソースコードに含む購入ページへのアクセス要求を受信し、
前記ページ情報送信手段が、受信された前記購入ページへの前記アクセス要求が、携帯電話機からのものである場合、前記購入ページを構成する情報を、前記携帯電話機に送信し、前記アクセス要求受信手段により受信された前記購入ページへの前記アクセス要求が、パーソナルコンピュータからのものである場合、前記購入ページを構成する情報の送信を禁止し、
前記成果情報送信手段が、前記ＵＲＬ情報がアクセスされることにより、前記成果発生を通知するための情報を、他のウェブサイトの所定のページに貼られている前記商品の広告リンクの選択に応じてなされるアクセスに対してセッションＩＤを付加して、前記ウェブサイトの所定のページにリダイレクト指示を行い、受信した前記成果発生を通知するための情報に含まれる前記セッションＩＤに対応してその成果を登録する管理サーバに、前記成果を登録させるために送信し、
前記通信方法変更手段が、前記購入ページを構成する情報において、前記購入ページから、前記キャリアサーバが管理するページに遷移する以降の通信方法を変更するステップ
を含み、
前記ページ情報送信手段が、さらに、前記アクセス要求受信手段により受信された前記購入ページへの前記アクセス要求が、携帯電話機からのものである場合、前記通信方法変更手段により変更された前記通信方法が記載されている前記購入ページを構成する情報を前記携帯電話機に送信する
情報処理方法。
【請求項９】
携帯電話機向けの成果報酬型のアフィリエイト対象の商品を販売するウェブサイトを管理する情報処理装置のコンピュータを、
前記ウェブサイトを構成する所定のページのうち、前記商品の購入を行うためのページであって、アクセスされることで成果発生となるＵＲＬ情報をそのソースコードに含む購入ページへのアクセス要求を受信するアクセス要求受信手段と、
受信された前記購入ページへの前記アクセス要求が、携帯電話機からのものである場合、前記購入ページを構成する情報を、前記携帯電話機に送信し、前記アクセス要求受信手段により受信された前記購入ページへの前記アクセス要求が、パーソナルコンピュータからのものである場合、前記購入ページを構成する情報の送信を禁止するページ情報送信手段と、
前記ＵＲＬ情報がアクセスされることにより、前記成果発生を通知するための情報を、他のウェブサイトの所定のページに貼られている前記商品の広告リンクの選択に応じてなされるアクセスに対してセッションＩＤを付加して、前記ウェブサイトの所定のページにリダイレクト指示を行い、受信した前記成果発生を通知するための情報に含まれる前記セッションＩＤに対応してその成果を登録する管理サーバに、前記成果を登録させるために送信する成果情報送信手段と、
前記購入ページを構成する情報において、前記購入ページから、前記キャリアサーバが管理するページに遷移する以降の通信方法を変更する通信方法変更手段と
して機能させ、
前記ページ情報送信手段が、さらに、前記アクセス要求受信手段により受信された前記購入ページへの前記アクセス要求が、携帯電話機からのものである場合、前記通信方法変更手段により変更された前記通信方法が記載されている前記購入ページを構成する情報を前記携帯電話機に送信する
ように機能させるためのプログラム。
【手続補正２】
【補正対象書類名】明細書
【補正対象項目名】０００８
【補正方法】変更
【補正の内容】
【０００８】
本発明の第１の側面の情報処理装置は、携帯電話機向けの成果報酬型のアフィリエイト対象の商品を販売するウェブサイトを管理する情報処理装置において、前記ウェブサイトを構成する所定のページのうち、前記商品の購入を行うためのページであって、アクセスされることで成果発生となる、前記商品の購入が完了したことを通知するための完了通知ページのＵＲＬ情報をそのソースコードに含む購入ページおよび前記完了通知ページの一方へのアクセス要求を受信するアクセス要求受信手段と、前記アクセス要求受信手段により受信された前記購入ページおよび前記完了通知ページの一方への前記アクセス要求が、携帯電話機からのものである場合、前記購入ページおよび前記完了通知ページの一方を構成する情報を、前記携帯電話機に送信し、前記アクセス要求受信手段により受信された前記購入ページおよび前記完了通知ページの一方への前記アクセス要求が、パーソナルコンピュータからのものである場合、前記購入ページおよび前記完了通知ページの一方を構成する情報の送信を禁止するページ情報送信手段と、前記ＵＲＬ情報がアクセスされることにより、前記成果発生を通知するための情報を、他のウェブサイトの所定のページに貼られている前記商品の広告リンクの選択に応じてなされるアクセスに対してセッションＩＤを付加して、前記ウェブサイトの所定のページにリダイレクト指示を行い、受信した前記成果発生を通知するための情報に含まれる前記セッションＩＤに対応してその成果を登録する管理サーバに、前記成果を登録させるために送信する成果情報送信手段と、前記完了通知ページのブックマークを拒否設定にするブックマーク設定手段とを備える。
【手続補正３】
【補正対象書類名】明細書
【補正対象項目名】００１０
【補正方法】変更
【補正の内容】
【００１０】
本発明の第１の側面の情報処理方法は、携帯電話機向けの成果報酬型のアフィリエイト対象の商品を販売するウェブサイトを管理し、アクセス要求受信手段と、ページ情報送信手段と、成果情報送信手段と、ブックマーク設定手段とを備える情報処理装置の情報処理方法において、前記アクセス要求受信手段が、前記ウェブサイトを構成する所定のページのうち、前記商品の購入を行うためのページであって、アクセスされることで成果発生となる、前記商品の購入が完了したことを通知するための完了通知ページのＵＲＬ情報をそのソースコードに含む購入ページおよび前記完了通知ページの一方へのアクセス要求を受信し、前記ページ情報送信手段が、受信された前記購入ページおよび前記完了通知ページの一方への前記アクセス要求が、携帯電話機からのものである場合、前記購入ページおよび前記完了通知ページの一方を構成する情報を、前記携帯電話機に送信し、前記アクセス要求受信手段により受信された前記購入ページおよび前記完了通知ページの一方への前記アクセス要求が、パーソナルコンピュータからのものである場合、前記購入ページおよび前記完了通知ページの一方を構成する情報の送信を禁止し、前記成果情報送信手段が、前記ＵＲＬ情報がアクセスされることにより、前記成果発生を通知するための情報を、他のウェブサイトの所定のページに貼られている前記商品の広告リンクの選択に応じてなされるアクセスに対してセッションＩＤを付加して、前記ウェブサイトの所定のページにリダイレクト指示を行い、受信した前記成果発生を通知するための情報に含まれる前記セッションＩＤに対応してその成果を登録する管理サーバに、前記成果を登録させるために送信し、前記ブックマーク設定手段が、前記完了通知ページのブックマークを拒否設定にするステップを含む。
【手続補正４】
【補正対象書類名】明細書
【補正対象項目名】００１１
【補正方法】変更
【補正の内容】
【００１１】
本発明の第１の側面のプログラムは、携帯電話機向けの成果報酬型のアフィリエイト対象の商品を販売するウェブサイトを管理する情報処理装置のコンピュータを、前記ウェブサイトを構成する所定のページのうち、前記商品の購入を行うためのページであって、アクセスされることで成果発生となる、前記商品の購入が完了したことを通知するための完了通知ページのＵＲＬ情報をそのソースコードに含む購入ページおよび前記完了通知ページの一方へのアクセス要求を受信するアクセス要求受信手段と、前記アクセス要求受信手段により受信された前記購入ページおよび前記完了通知ページの一方への前記アクセス要求が、携帯電話機からのものである場合、前記購入ページおよび前記完了通知ページの一方を構成する情報を、前記携帯電話機に送信し、前記アクセス要求受信手段により受信された前記購入ページおよび前記完了通知ページの一方への前記アクセス要求が、パーソナルコンピュータからのものである場合、前記購入ページおよび前記完了通知ページの一方を構成する情報の送信を禁止するページ情報送信手段と、前記ＵＲＬ情報がアクセスされることにより、前記成果発生を通知するための情報を、他のウェブサイトの所定のページに貼られている前記商品の広告リンクの選択に応じてなされるアクセスに対してセッションＩＤを付加して、前記ウェブサイトの所定のページにリダイレクト指示を行い、受信した前記成果発生を通知するための情報に含まれる前記セッションＩＤに対応してその成果を登録する管理サーバに、前記成果を登録させるために送信する成果情報送信手段と、前記完了通知ページのブックマークを拒否設定にするブックマーク設定手段として機能させる。
【手続補正５】
【補正対象書類名】明細書
【補正対象項目名】００１２
【補正方法】変更
【補正の内容】
【００１２】
本発明の第２の側面の情報処理装置は、携帯電話機向けの成果報酬型のアフィリエイト対象の商品を販売するウェブサイトを管理する情報処理装置において、前記ウェブサイトを構成する所定のページのうち、前記商品の購入を行うためのページであって、アクセスされることで成果発生となる、前記商品の購入が完了したことを通知するための完了通知ページのＵＲＬ情報をそのソースコードに含む購入ページおよび前記完了通知ページの一方へのアクセス要求を受信するアクセス要求受信手段と、前記アクセス要求受信手段により受信された前記購入ページおよび前記完了通知ページの一方への前記アクセス要求が、携帯電話機からのものである場合、前記購入ページおよび前記完了通知ページの一方を構成する情報を、前記携帯電話機に送信し、前記アクセス要求受信手段により受信された前記購入ページおよび前記完了通知ページの一方への前記アクセス要求が、パーソナルコンピュータからのものである場合、前記購入ページおよび前記完了通知ページの一方を構成する情報の送信を禁止するページ情報送信手段と、前記ＵＲＬ情報がアクセスされることにより、前記成果発生を通知するための情報を、他のウェブサイトの所定のページに貼られている前記商品の広告リンクの選択に応じてなされるアクセスに対してセッションＩＤを付加して、前記ウェブサイトの所定のページにリダイレクト指示を行い、受信した前記成果発生を通知するための情報に含まれる前記セッションＩＤに対応してその成果を登録する管理サーバに、前記成果を登録させるために、前記携帯電話機に対応するキャリアサーバを介して送信する成果情報送信手段とを備え、前記ページ情報送信手段は、さらに、前記アクセス要求受信手段により受信された前記完了通知ページへの前記アクセス要求が、携帯電話機からのものであっても、前記アクセス要求受信手段により受信された前記完了通知ページへの前記アクセス要求の情報に特定の値が付加されていない場合、前記完了通知ページを構成する情報の前記携帯電話機への送信を禁止する。
【手続補正６】
【補正対象書類名】明細書
【補正対象項目名】００１３
【補正方法】変更
【補正の内容】
【００１３】
本発明の第２の側面の情報処理方法は、携帯電話機向けの成果報酬型のアフィリエイト対象の商品を販売するウェブサイトを管理し、アクセス要求受信手段と、ページ情報送信手段と、成果情報送信手段とを備える情報処理装置の情報処理方法において、前記アクセス要求受信手段が、前記ウェブサイトを構成する所定のページのうち、前記商品の購入を行うためのページであって、アクセスされることで成果発生となる、前記商品の購入が完了したことを通知するための完了通知ページのＵＲＬ情報をそのソースコードに含む購入ページおよび前記完了通知ページの一方へのアクセス要求を受信し、前記ページ情報送信手段が、受信された前記購入ページおよび前記完了通知ページの一方への前記アクセス要求が、携帯電話機からのものである場合、前記購入ページおよび前記完了通知ページの一方を構成する情報を、前記携帯電話機に送信し、前記アクセス要求受信手段により受信された前記購入ページおよび前記完了通知ページの一方への前記アクセス要求が、パーソナルコンピュータからのものである場合、前記購入ページおよび前記完了通知ページの一方を構成する情報の送信を禁止し、前記成果情報送信手段が、前記ＵＲＬ情報がアクセスされることにより、前記成果発生を通知するための情報を、他のウェブサイトの所定のページに貼られている前記商品の広告リンクの選択に応じてなされるアクセスに対してセッションＩＤを付加して、前記ウェブサイトの所定のページにリダイレクト指示を行い、受信した前記成果発生を通知するための情報に含まれる前記セッションＩＤに対応してその成果を登録する管理サーバに、前記成果を登録させるために、前記携帯電話機に対応するキャリアサーバを介して送信するステップを含み、前記ページ情報送信手段が、さらに、前記アクセス要求受信手段により受信された前記完了通知ページへの前記アクセス要求が、携帯電話機からのものであっても、前記アクセス要求受信手段により受信された前記完了通知ページへの前記アクセス要求の情報に特定の値が付加されていない場合、前記完了通知ページを構成する情報の前記携帯電話機への送信を禁止する。
【手続補正７】
【補正対象書類名】明細書
【補正対象項目名】００１４
【補正方法】変更
【補正の内容】
【００１４】
本発明の第２の側面のプログラムは、携帯電話機向けの成果報酬型のアフィリエイト対象の商品を販売するウェブサイトを管理する情報処理装置のコンピュータを、前記ウェブサイトを構成する所定のページのうち、前記商品の購入を行うためのページであって、アクセスされることで成果発生となる、前記商品の購入が完了したことを通知するための完了通知ページのＵＲＬ情報をそのソースコードに含む購入ページおよび前記完了通知ページの一方へのアクセス要求を受信するアクセス要求受信手段と、前記アクセス要求受信手段により受信された前記購入ページおよび前記完了通知ページの一方への前記アクセス要求が、携帯電話機からのものである場合、前記購入ページおよび前記完了通知ページの一方を構成する情報を、前記携帯電話機に送信し、前記アクセス要求受信手段により受信された前記購入ページおよび前記完了通知ページの一方への前記アクセス要求が、パーソナルコンピュータからのものである場合、前記購入ページおよび前記完了通知ページの一方を構成する情報の送信を禁止するページ情報送信手段と、前記ＵＲＬ情報がアクセスされることにより、前記成果発生を通知するための情報を、他のウェブサイトの所定のページに貼られている前記商品の広告リンクの選択に応じてなされるアクセスに対してセッションＩＤを付加して、前記ウェブサイトの所定のページにリダイレクト指示を行い、受信した前記成果発生を通知するための情報に含まれる前記セッションＩＤに対応してその成果を登録する管理サーバに、前記成果を登録させるために、前記携帯電話機に対応するキャリアサーバを介して送信する成果情報送信手段として機能させ、前記ページ情報送信手段が、さらに、前記アクセス要求受信手段により受信された前記完了通知ページへの前記アクセス要求が、携帯電話機からのものであっても、前記アクセス要求受信手段により受信された前記完了通知ページへの前記アクセス要求の情報に特定の値が付加されていない場合、前記完了通知ページを構成する情報の前記携帯電話機への送信を禁止するように機能させる。
【手続補正８】
【補正対象書類名】明細書
【補正対象項目名】００１５
【補正方法】変更
【補正の内容】
【００１５】
本発明の第３の側面の情報処理装置は、携帯電話機向けの成果報酬型のアフィリエイト対象の商品を販売するウェブサイトを管理する情報処理装置において、前記ウェブサイトを構成する所定のページのうち、前記商品の購入を行うためのページであって、アクセスされることで成果発生となるＵＲＬ情報をそのソースコードに含む購入ページへのアクセス要求を受信するアクセス要求受信手段と、前記アクセス要求受信手段により受信された前記購入ページへの前記アクセス要求が、携帯電話機からのものである場合、前記購入ページを構成する情報を、前記携帯電話機に送信し、前記アクセス要求受信手段により受信された前記購入ページへの前記アクセス要求が、パーソナルコンピュータからのものである場合、前記購入ページを構成する情報の送信を禁止するページ情報送信手段と、前記ＵＲＬ情報がアクセスされることにより、前記成果発生を通知するための情報を、他のウェブサイトの所定のページに貼られている前記商品の広告リンクの選択に応じてなされるアクセスに対してセッションＩＤを付加して、前記ウェブサイトの所定のページにリダイレクト指示を行い、受信した前記成果発生を通知するための情報に含まれる前記セッションＩＤに対応してその成果を登録する管理サーバに、前記成果を登録させるために送信する成果情報送信手段と、前記購入ページを構成する情報において、前記購入ページから、前記キャリアサーバが管理するページに遷移する以降の通信方法を変更する通信方法変更手段とを備え、前記ページ情報送信手段は、さらに、前記アクセス要求受信手段により受信された前記購入ページへの前記アクセス要求が、携帯電話機からのものである場合、前記通信方法変更手段により変更された前記通信方法が記載されている前記購入ページを構成する情報を前記携帯電話機に送信する。
【手続補正９】
【補正対象書類名】明細書
【補正対象項目名】００１６
【補正方法】変更
【補正の内容】
【００１６】
本発明の第３の側面の情報処理方法は、携帯電話機向けの成果報酬型のアフィリエイト対象の商品を販売するウェブサイトを管理し、アクセス要求受信手段と、ページ情報送信手段と、成果情報送信手段と、通信方法変更手段とを備える情報処理装置の情報処理方法において、前記アクセス要求受信手段が、前記ウェブサイトを構成する所定のページのうち、前記商品の購入を行うためのページであって、アクセスされることで成果発生となるＵＲＬ情報をそのソースコードに含む購入ページへのアクセス要求を受信し、前記ページ情報送信手段が、受信された前記購入ページへの前記アクセス要求が、携帯電話機からのものである場合、前記購入ページを構成する情報を、前記携帯電話機に送信し、前記アクセス要求受信手段により受信された前記購入ページへの前記アクセス要求が、パーソナルコンピュータからのものである場合、前記購入ページを構成する情報の送信を禁止し、前記成果情報送信手段が、前記ＵＲＬ情報がアクセスされることにより、前記成果発生を通知するための情報を、他のウェブサイトの所定のページに貼られている前記商品の広告リンクの選択に応じてなされるアクセスに対してセッションＩＤを付加して、前記ウェブサイトの所定のページにリダイレクト指示を行い、受信した前記成果発生を通知するための情報に含まれる前記セッションＩＤに対応してその成果を登録する管理サーバに、前記成果を登録させるために送信し、前記通信方法変更手段が、前記購入ページを構成する情報において、前記購入ページから、前記キャリアサーバが管理するページに遷移する以降の通信方法を変更するステップを含み、前記ページ情報送信手段が、さらに、前記アクセス要求受信手段により受信された前記購入ページへの前記アクセス要求が、携帯電話機からのものである場合、前記通信方法変更手段により変更された前記通信方法が記載されている前記購入ページを構成する情報を前記携帯電話機に送信する。
本発明の第３の側面のプログラムは、携帯電話機向けの成果報酬型のアフィリエイト対象の商品を販売するウェブサイトを管理する情報処理装置のコンピュータを、前記ウェブサイトを構成する所定のページのうち、前記商品の購入を行うためのページであって、アクセスされることで成果発生となるＵＲＬ情報をそのソースコードに含む購入ページへのアクセス要求を受信するアクセス要求受信手段と、受信された前記購入ページへの前記アクセス要求が、携帯電話機からのものである場合、前記購入ページを構成する情報を、前記携帯電話機に送信し、前記アクセス要求受信手段により受信された前記購入ページへの前記アクセス要求が、パーソナルコンピュータからのものである場合、前記購入ページを構成する情報の送信を禁止するページ情報送信手段と、前記ＵＲＬ情報がアクセスされることにより、前記成果発生を通知するための情報を、他のウェブサイトの所定のページに貼られている前記商品の広告リンクの選択に応じてなされるアクセスに対してセッションＩＤを付加して、前記ウェブサイトの所定のページにリダイレクト指示を行い、受信した前記成果発生を通知するための情報に含まれる前記セッションＩＤに対応してその成果を登録する管理サーバに、前記成果を登録させるために送信する成果情報送信手段と、前記購入ページを構成する情報において、前記購入ページから、前記キャリアサーバが管理するページに遷移する以降の通信方法を変更する通信方法変更手段として機能させ、前記ページ情報送信手段が、さらに、前記アクセス要求受信手段により受信された前記購入ページへの前記アクセス要求が、携帯電話機からのものである場合、前記通信方法変更手段により変更された前記通信方法が記載されている前記購入ページを構成する情報を前記携帯電話機に送信するように機能させる。
【手続補正１０】
【補正対象書類名】明細書
【補正対象項目名】００１７
【補正方法】変更
【補正の内容】
【００１７】
本発明の第１の側面においては、携帯電話機向けの成果報酬型のアフィリエイト対象の商品を販売するウェブサイトを構成する所定のページのうち、前記商品の購入を行うためのページであって、アクセスされることで成果発生となる、前記商品の購入が完了したことを通知するための完了通知ページのＵＲＬ情報をそのソースコードに含む購入ページおよび前記完了通知ページの一方へのアクセス要求が受信される。そして、受信された前記購入ページおよび前記完了通知ページの一方への前記アクセス要求が、携帯電話機からのものである場合、前記購入ページおよび前記完了通知ページの一方を構成する情報が、前記携帯電話機に送信され、受信された前記購入ページおよび前記完了通知ページの一方への前記アクセス要求が、パーソナルコンピュータからのものである場合、前記購入ページおよび前記完了通知ページの一方を構成する情報の送信が禁止される。そして、前記ＵＲＬ情報がアクセスされることにより、前記成果発生を通知するための情報が、他のウェブサイトの所定のページに貼られている前記商品の広告リンクの選択に応じてなされるアクセスに対してセッションＩＤを付加して、前記ウェブサイトの所定のページにリダイレクト指示を行い、受信した前記成果発生を通知するための情報に含まれる前記セッションＩＤに対応してその成果を登録する管理サーバに、前記成果を登録させるために送信される。さらに、完了通知ページのブックマークが拒否設定にされる。
本発明の第２の側面においては、携帯電話機向けの成果報酬型のアフィリエイト対象の商品を販売するウェブサイトを構成する所定のページのうち、前記商品の購入を行うためのページであって、アクセスされることで成果発生となる、前記商品の購入が完了したことを通知するための完了通知ページのＵＲＬ情報をそのソースコードに含む購入ページおよび前記完了通知ページの一方へのアクセス要求が受信される。そして、受信された前記購入ページおよび前記完了通知ページの一方への前記アクセス要求が、携帯電話機からのものである場合、前記購入ページおよび前記完了通知ページの一方を構成する情報が、前記携帯電話機に送信され、受信された前記購入ページおよび前記完了通知ページの一方への前記アクセス要求が、パーソナルコンピュータからのものである場合、前記購入ページおよび前記完了通知ページの一方を構成する情報の送信が禁止される。そして、前記ＵＲＬ情報がアクセスされることにより、前記成果発生を通知するための情報が、他のウェブサイトの所定のページに貼られている前記商品の広告リンクの選択に応じてなされるアクセスに対してセッションＩＤを付加して、前記ウェブサイトの所定のページにリダイレクト指示を行い、受信した前記成果発生を通知するための情報に含まれる前記セッションＩＤに対応してその成果を登録する管理サーバに、前記成果を登録させるために、前記携帯電話機に対応するキャリアサーバを介して送信される。さらに、受信された前記完了通知ページへの前記アクセス要求が、携帯電話機からのものであっても、受信された前記完了通知ページへの前記アクセス要求の情報に特定の値が付加されていない場合、前記完了通知ページを構成する情報の前記携帯電話機への送信が禁止される。
本発明の第３の側面においては、携帯電話機向けの成果報酬型のアフィリエイト対象の商品を販売するウェブサイトを構成する所定のページのうち、前記商品の購入を行うためのページであって、アクセスされることで成果発生となるＵＲＬ情報をそのソースコードに含む購入ページへのアクセス要求が受信される。そして、受信された前記購入ページへの前記アクセス要求が、携帯電話機からのものである場合、前記購入ページを構成する情報が、前記携帯電話機に送信され、受信された前記購入ページへの前記アクセス要求が、パーソナルコンピュータからのものである場合、前記購入ページを構成する情報の送信が禁止される。そして、前記ＵＲＬ情報がアクセスされることにより、前記成果発生を通知するための情報が、他のウェブサイトの所定のページに貼られている前記商品の広告リンクの選択に応じてなされるアクセスに対してセッションＩＤを付加して、前記ウェブサイトの所定のページにリダイレクト指示を行い、受信した前記成果発生を通知するための情報に含まれる前記セッションＩＤに対応してその成果を登録する管理サーバに、前記成果を登録させるために送信される。さらに、受信された前記完了通知ページへの前記アクセス要求が、携帯電話機からのものであっても、受信された前記完了通知ページへの前記アクセス要求の情報に特定の値が付加されていない場合、前記完了通知ページを構成する情報の前記携帯電話機への送信が禁止される。
【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
携帯電話機向けの成果報酬型のアフィリエイト対象の商品を販売するウェブサイトを管理する情報処理装置において、
前記ウェブサイトを構成する所定のページのうち、前記商品の購入を行うためのページであって、アクセスされることで成果発生となる、前記商品の購入が完了したことを通知するための完了通知ページのＵＲＬ情報をそのソースコードに含む購入ページおよび前記完了通知ページの一方へのアクセス要求を受信するアクセス要求受信手段と、
前記アクセス要求受信手段により受信された前記購入ページおよび前記完了通知ページの一方への前記アクセス要求が、携帯電話機からのものである場合、前記購入ページおよび前記完了通知ページの一方を構成する情報の送信を許可し、前記アクセス要求受信手段により受信された前記購入ページおよび前記完了通知ページの一方への前記アクセス要求が、パーソナルコンピュータからのものである場合、前記購入ページおよび前記完了通知ページの一方を構成する情報の送信を禁止するページ情報送信手段と、
前記ＵＲＬ情報がアクセスされて、前記ページ情報送信手段により前記完了通知ページを構成する情報の送信が許可された場合、許可対象の前記携帯電話機に対応するキャリアサーバにその許可を通知することで、他のウェブサイトの所定のページに貼られている前記商品の広告リンクの選択に応じてなされるアクセスに対してセッションＩＤを付加して、前記ウェブサイトの所定のページにリダイレクト指示を行い、前記携帯電話機での前記完了通知ページの表示をきっかけに送信される前記セッションＩＤに対応してその成果を登録する管理サーバに、前記成果を登録させるために、前記完了通知ページの前記携帯電話器への送信を前記キャリアサーバに行わせる成果情報送信手段と
を備え、
前記ページ情報送信手段は、さらに、前記アクセス要求受信手段により受信された前記完了通知ページへの前記アクセス要求が、携帯電話機からのものであっても、前記アクセス要求受信手段により受信された前記完了通知ページへの前記アクセス要求の情報に特定の値が付加されていない場合、前記完了通知ページを構成する情報の前記携帯電話機への送信を禁止する
情報処理装置。
【請求項２】
携帯電話機向けの成果報酬型のアフィリエイト対象の商品を販売するウェブサイトを管理し、アクセス要求受信手段と、ページ情報送信手段と、成果情報送信手段とを備える情報処理装置の情報処理方法において、
前記アクセス要求受信手段が、前記ウェブサイトを構成する所定のページのうち、前記商品の購入を行うためのページであって、アクセスされることで成果発生となる、前記商品の購入が完了したことを通知するための完了通知ページのＵＲＬ情報をそのソースコードに含む購入ページおよび前記完了通知ページの一方へのアクセス要求を受信し、
前記ページ情報送信手段が、受信された前記購入ページおよび前記完了通知ページの一方への前記アクセス要求が、携帯電話機からのものである場合、前記購入ページおよび前記完了通知ページの一方を構成する情報の送信を許可し、前記アクセス要求受信手段により受信された前記購入ページおよび前記完了通知ページの一方への前記アクセス要求が、パーソナルコンピュータからのものである場合、前記購入ページおよび前記完了通知ページの一方を構成する情報の送信を禁止し、
前記ＵＲＬ情報がアクセスされて、前記完了通知ページを構成する情報の送信が許可された場合、許可対象の前記携帯電話機に対応するキャリアサーバにその許可を通知することで、他のウェブサイトの所定のページに貼られている前記商品の広告リンクの選択に応じてなされるアクセスに対してセッションＩＤを付加して、前記ウェブサイトの所定のページにリダイレクト指示を行い、前記携帯電話機での前記完了通知ページの表示をきっかけに送信される前記セッションＩＤに対応してその成果を登録する管理サーバに、前記成果を登録させるために、前記完了通知ページの前記携帯電話器への送信を前記キャリアサーバに行わせるステップ
を含み、
前記ページ情報送信手段が、さらに、前記アクセス要求受信手段により受信された前記完了通知ページへの前記アクセス要求が、携帯電話機からのものであっても、前記アクセス要求受信手段により受信された前記完了通知ページへの前記アクセス要求の情報に特定の値が付加されていない場合、前記完了通知ページを構成する情報の前記携帯電話機への送信を禁止する
情報処理方法。
【請求項３】
携帯電話機向けの成果報酬型のアフィリエイト対象の商品を販売するウェブサイトを管理する情報処理装置のコンピュータを、
前記ウェブサイトを構成する所定のページのうち、前記商品の購入を行うためのページであって、アクセスされることで成果発生となる、前記商品の購入が完了したことを通知するための完了通知ページのＵＲＬ情報をそのソースコードに含む購入ページおよび前記完了通知ページの一方へのアクセス要求を受信するアクセス要求受信手段と、
前記アクセス要求受信手段により受信された前記購入ページおよび前記完了通知ページの一方への前記アクセス要求が、携帯電話機からのものである場合、前記購入ページおよび前記完了通知ページの一方を構成する情報の送信を許可し、前記アクセス要求受信手段により受信された前記購入ページおよび前記完了通知ページの一方への前記アクセス要求が、パーソナルコンピュータからのものである場合、前記購入ページおよび前記完了通知ページの一方を構成する情報の送信を禁止するページ情報送信手段と、
前記ＵＲＬ情報がアクセスされて、前記完了通知ページを構成する情報の送信が許可された場合、許可対象の前記携帯電話機に対応するキャリアサーバにその許可を通知することで、他のウェブサイトの所定のページに貼られている前記商品の広告リンクの選択に応じてなされるアクセスに対してセッションＩＤを付加して、前記ウェブサイトの所定のページにリダイレクト指示を行い、前記携帯電話機での前記完了通知ページの表示をきっかけに送信される前記セッションＩＤに対応してその成果を登録する管理サーバに、前記成果を登録させるために、前記完了通知ページの前記携帯電話器への送信を前記キャリアサーバに行わせる成果情報送信手段と
して機能させ、
前記ページ情報送信手段が、さらに、前記アクセス要求受信手段により受信された前記完了通知ページへの前記アクセス要求が、携帯電話機からのものであっても、前記アクセス要求受信手段により受信された前記完了通知ページへの前記アクセス要求の情報に特定の値が付加されていない場合、前記完了通知ページを構成する情報の前記携帯電話機への送信を禁止する
ように機能させるためのプログラム。
【手続補正２】
【補正対象書類名】明細書
【補正対象項目名】０００８
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
本発明の第１の側面の情報処理装置は、携帯電話機向けの成果報酬型のアフィリエイト対象の商品を販売するウェブサイトを管理する情報処理装置において、前記ウェブサイトを構成する所定のページのうち、前記商品の購入を行うためのページであって、アクセスされることで成果発生となる、前記商品の購入が完了したことを通知するための完了通知ページのＵＲＬ情報をそのソースコードに含む購入ページおよび前記完了通知ページの一方へのアクセス要求を受信するアクセス要求受信手段と、前記アクセス要求受信手段により受信された前記購入ページおよび前記完了通知ページの一方への前記アクセス要求が、携帯電話機からのものである場合、前記購入ページおよび前記完了通知ページの一方を構成する情報の送信を許可し、前記アクセス要求受信手段により受信された前記購入ページおよび前記完了通知ページの一方への前記アクセス要求が、パーソナルコンピュータからのものである場合、前記購入ページおよび前記完了通知ページの一方を構成する情報の送信を禁止するページ情報送信手段と、他のウェブサイトの所定のページに貼られている前記商品の広告リンクの選択に応じてなされるアクセスに対してセッションＩＤを付加して、前記ウェブサイトの所定のページにリダイレクト指示を行い、前記ＵＲＬ情報がアクセスされて、前記ページ情報送信手段により前記完了通知ページを構成する情報の送信が許可された場合、許可対象の前記携帯電話機に対応するキャリアサーバにその許可を通知することで、他のウェブサイトの所定のページに貼られている前記商品の広告リンクの選択に応じてなされるアクセスに対してセッションＩＤを付加して、前記ウェブサイトの所定のページにリダイレクト指示を行い、前記携帯電話機での前記完了通知ページの表示をきっかけに送信される前記セッションＩＤに対応してその成果を登録する管理サーバに、前記成果を登録させるために、前記完了通知ページの前記携帯電話器への送信を前記キャリアサーバに行わせる成果情報送信手段とを備え、前記ページ情報送信手段は、さらに、前記アクセス要求受信手段により受信された前記完了通知ページへの前記アクセス要求が、携帯電話機からのものであっても、前記アクセス要求受信手段により受信された前記完了通知ページへの前記アクセス要求の情報に特定の値が付加されていない場合、前記完了通知ページを構成する情報の前記携帯電話機への送信を禁止する。
【手続補正６】
【補正対象書類名】明細書
【補正対象項目名】００１３
【補正方法】変更
【補正の内容】
【００１３】
本発明の第１の側面の情報処理方法は、携帯電話機向けの成果報酬型のアフィリエイト対象の商品を販売するウェブサイトを管理し、アクセス要求受信手段と、ページ情報送信手段と、成果情報送信手段とを備える情報処理装置の情報処理方法において、前記アクセス要求受信手段が、前記ウェブサイトを構成する所定のページのうち、前記商品の購入を行うためのページであって、アクセスされることで成果発生となる、前記商品の購入が完了したことを通知するための完了通知ページのＵＲＬ情報をそのソースコードに含む購入ページおよび前記完了通知ページの一方へのアクセス要求を受信し、前記ページ情報送信手段が、受信された前記購入ページおよび前記完了通知ページの一方への前記アクセス要求が、携帯電話機からのものである場合、前記購入ページおよび前記完了通知ページの一方を構成する情報の送信を許可し、前記アクセス要求受信手段により受信された前記購入ページおよび前記完了通知ページの一方への前記アクセス要求が、パーソナルコンピュータからのものである場合、前記購入ページおよび前記完了通知ページの一方を構成する情報の送信を禁止し、前記成果情報送信手段が、前記ＵＲＬ情報がアクセスされて、前記完了通知ページを構成する情報の送信が許可された場合、許可対象の前記携帯電話機に対応するキャリアサーバにその許可を通知することで、他のウェブサイトの所定のページに貼られている前記商品の広告リンクの選択に応じてなされるアクセスに対してセッションＩＤを付加して、前記ウェブサイトの所定のページにリダイレクト指示を行い、前記携帯電話機での前記完了通知ページの表示をきっかけに送信される前記セッションＩＤに対応してその成果を登録する管理サーバに、前記成果を登録させるために、前記完了通知ページの前記携帯電話器への送信を前記キャリアサーバに行わせるステップを含み、前記ページ情報送信手段が、さらに、前記アクセス要求受信手段により受信された前記完了通知ページへの前記アクセス要求が、携帯電話機からのものであっても、前記アクセス要求受信手段により受信された前記完了通知ページへの前記アクセス要求の情報に特定の値が付加されていない場合、前記完了通知ページを構成する情報の前記携帯電話機への送信を禁止する。
【手続補正７】
【補正対象書類名】明細書
【補正対象項目名】００１４
【補正方法】変更
【補正の内容】
【００１４】
本発明の第１の側面のプログラムは、携帯電話機向けの成果報酬型のアフィリエイト対象の商品を販売するウェブサイトを管理する情報処理装置のコンピュータを、前記ウェブサイトを構成する所定のページのうち、前記商品の購入を行うためのページであって、アクセスされることで成果発生となる、前記商品の購入が完了したことを通知するための完了通知ページのＵＲＬ情報をそのソースコードに含む購入ページおよび前記完了通知ページの一方へのアクセス要求を受信するアクセス要求受信手段と、前記アクセス要求受信手段により受信された前記購入ページおよび前記完了通知ページの一方への前記アクセス要求が、携帯電話機からのものである場合、前記購入ページおよび前記完了通知ページの一方を構成する情報の送信を許可し、前記アクセス要求受信手段により受信された前記購入ページおよび前記完了通知ページの一方への前記アクセス要求が、パーソナルコンピュータからのものである場合、前記購入ページおよび前記完了通知ページの一方を構成する情報の送信を禁止するページ情報送信手段と、前記ＵＲＬ情報がアクセスされて、前記完了通知ページを構成する情報の送信が許可された場合、許可対象の前記携帯電話機に対応するキャリアサーバにその許可を通知することで、他のウェブサイトの所定のページに貼られている前記商品の広告リンクの選択に応じてなされるアクセスに対してセッションＩＤを付加して、前記ウェブサイトの所定のページにリダイレクト指示を行い、前記携帯電話機での前記完了通知ページの表示をきっかけに送信される前記セッションＩＤに対応してその成果を登録する管理サーバに、前記成果を登録させるために、前記完了通知ページの前記携帯電話器への送信を前記キャリアサーバに行わせる成果情報送信手段として機能させ、前記ページ情報送信手段が、さらに、前記アクセス要求受信手段により受信された前記完了通知ページへの前記アクセス要求が、携帯電話機からのものであっても、前記アクセス要求受信手段により受信された前記完了通知ページへの前記アクセス要求の情報に特定の値が付加されていない場合、前記完了通知ページを構成する情報の前記携帯電話機への送信を禁止するように機能させる。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
本発明の第１の側面においては、携帯電話機向けの成果報酬型のアフィリエイト対象の商品を販売するウェブサイトを構成する所定のページのうち、前記商品の購入を行うためのページであって、アクセスされることで成果発生となる、前記商品の購入が完了したことを通知するための完了通知ページのＵＲＬ情報をそのソースコードに含む購入ページおよび前記完了通知ページの一方へのアクセス要求が受信される。そして、受信された前記購入ページおよび前記完了通知ページの一方への前記アクセス要求が、携帯電話機からのものである場合、前記購入ページおよび前記完了通知ページの一方を構成する情報の送信が許可され、受信された前記購入ページおよび前記完了通知ページの一方への前記アクセス要求が、パーソナルコンピュータからのものである場合、前記購入ページおよび前記完了通知ページの一方を構成する情報の送信が禁止される。そして、前記ＵＲＬ情報がアクセスされて、前記完了通知ページを構成する情報の送信が許可された場合、許可対象の前記携帯電話機に対応するキャリアサーバにその許可を通知することで、他のウェブサイトの所定のページに貼られている前記商品の広告リンクの選択に応じてなされるアクセスに対してセッションＩＤを付加して、前記ウェブサイトの所定のページにリダイレクト指示を行い、前記携帯電話機での前記完了通知ページの表示をきっかけに送信される前記セッションＩＤに対応してその成果を登録する管理サーバに、前記成果を登録させるために、前記完了通知ページの前記携帯電話器への送信を前記キャリアサーバに行わせる。さらに、受信された前記完了通知ページへの前記アクセス要求が、携帯電話機からのものであっても、受信された前記完了通知ページへの前記アクセス要求の情報に特定の値が付加されていない場合、前記完了通知ページを構成する情報の前記携帯電話機への送信が禁止される。